(57)【特許請求の範囲】
【請求項１】
吸着空気の通過により水分を吸着する一方で再生空気の通過により水分を脱着する調湿側通路（85）と、調湿側通路（85）における吸着時の吸着熱を吸収するように冷却空気が通過する冷却側通路（86）とを有する吸着素子（81,82,250）を備え、該吸着素子（81,82,250）の調湿側通路（85）で空気を調湿して室内へ供給する空気調和装置であって、
冷却空気が室内空気（RA）によって構成されていることを特徴とする空気調和装置。
【請求項２】
吸着素子（81,82）を複数備え、
第１の吸着素子（81）の調湿側通路（85）に吸着空気を流通させて吸着動作を行うと同時に第１の吸着素子（81）の冷却側通路（86）に冷却空気を流通させて冷却動作を行い、さらに第２の吸着素子（82）の調湿側通路（85）に再生空気を流通させて再生動作を行う第１動作と、第２の吸着素子（82）の調湿側通路（85）に吸着空気を流通させて吸着動作を行うと同時に第２の吸着素子（82）の冷却側通路（86）に冷却空気を流通させて冷却動作を行い、さらに第１の吸着素子（81）の調湿側通路（85）に再生空気を流通させて再生動作を行う第２動作とが交互に行われるように構成されていることを特徴とする請求項１記載の空気調和装置。
【請求項３】
吸着空気、冷却空気及び再生空気の流通経路を切り換えるための切換機構を備え、
上記切換機構の動作と吸着素子（81,82）を所定の角度だけ回転させる動作とによって第１動作と第２動作の切り換えを行うように構成されていることを特徴とする請求項２記載の空気調和装置。
【請求項４】
吸着空気、冷却空気及び再生空気の流通経路を切り換えるための切換機構を備え、
吸着素子（81,82）を固定した状態で上記切換機構の動作を行うことによって第１動作と第２動作の切り換えを行うように構成されていることを特徴とする請求項２記載の空気調和装置。
【請求項５】
吸着素子（250）が円板状に形成され、かつ調湿側通路（85）がその厚さ方向へ貫通し、冷却側通路（86）がその径方向へ貫通するように形成され、
上記吸着素子（250）をその中心軸周りに回転させる動作を行い、
上記吸着素子（250）の一部分に存する調湿側通路（85）に吸着空気を導入して吸着動作を行うと同時に、対応する冷却側通路（86）に冷却空気を流通させて冷却動作を行い、さらに上記吸着素子（250）の他の一部分に存する調湿側通路（85）に再生空気を導入して再生動作を行うように構成されていることを特徴とする請求項１記載の空気調和装置。
【請求項６】
吸着空気の通過により水分を吸着する一方で再生空気の通過により水分を脱着する調湿側通路（85）と、調湿側通路（85）における吸着時の吸着熱を吸収するように冷却空気が通過する冷却側通路（86）とを有する吸着素子（81,82,250）を備え、該吸着素子（81,82,250）の調湿側通路（85）で空気を調湿して室内へ供給する空気調和装置であって、
冷却空気が調和空気（CA）によって構成され、
吸着素子（81,82）を複数備え、
第１の吸着素子（81）の調湿側通路（85）に吸着空気を流通させて吸着動作を行うと同時に第１の吸着素子（81）の冷却側通路（86）に冷却空気を流通させて冷却動作を行い、さらに第２の吸着素子（82）の調湿側通路（85）に再生空気を流通させて再生動作を行う第１動作と、第２の吸着素子（82）の調湿側通路（85）に吸着空気を流通させて吸着動作を行うと同時に第２の吸着素子（82）の冷却側通路（86）に冷却空気を流通させて冷却動作を行い、さらに第１の吸着素子（81）の調湿側通路（85）に再生空気を流通させて再生動作を行う第２動作とが交互に行われるように構成され、
吸着空気、冷却空気及び再生空気の流通経路を切り換えるための切換機構を備え、
上記切換機構の動作と吸着素子（81,82）を所定の角度だけ回転させる動作とによって第１動作と第２動作の切り換えを行うように構成されていることを特徴とする空気調和装置。
【請求項７】
再生空気が、冷却空気を加熱した空気によって構成されていることを特徴とする請求項２から６のいずれか１記載の空気調和装置。
【請求項８】
吸着空気の通過により水分を吸着する一方で再生空気の通過により水分を脱着する調湿側通路（85）と、調湿側通路（85）における吸着時の吸着熱を吸収するように冷却空気が通過する冷却側通路（86）とを有する吸着素子（81,82,250）を備え、該吸着素子（81,82,250）の調湿側通路（85）で空気を調湿して室内へ供給する空気調和装置であって、
冷却空気が室内空気（RA）と室外空気（OA）との混合空気（RA＋OA）によって構成されていることを特徴とする空気調和装置。
【請求項９】
吸着素子（81,82）を複数備え、
第１の吸着素子（81）の調湿側通路（85）に吸着空気を流通させて吸着動作を行うと同時に第１の吸着素子（81）の冷却側通路（86）に冷却空気を流通させて冷却動作を行い、さらに第２の吸着素子（82）の調湿側通路（85）に再生空気を流通させて再生動作を行う第１動作と、第２の吸着素子（82）の調湿側通路（85）に吸着空気を流通させて吸着動作を行うと同時に第２の吸着素子（82）の冷却側通路（86）に冷却空気を流通させて冷却動作を行い、さらに第１の吸着素子（81）の調湿側通路（85）に再生空気を流通させて再生動作を行う第２動作とが交互に行われるように構成されていることを特徴とする請求項８記載の空気調和装置。
【請求項１０】
吸着空気、冷却空気及び再生空気の流通経路を切り換えるための切換機構を備え、
上記切換機構の動作と吸着素子（81,82）を所定の角度だけ回転させる動作とによって第１動作と第２動作の切り換えを行うように構成されていることを特徴とする請求項９記載の空気調和装置。
【請求項１１】
吸着空気、冷却空気及び再生空気の流通経路を切り換えるための切換機構を備え、
吸着素子（81,82）を固定した状態で上記切換機構の動作を行うことによって第１動作と第２動作の切り換えを行うように構成されていることを特徴とする請求項９記載の空気調和装置。
【請求項１２】
吸着素子（250）が円板状に形成され、かつ調湿側通路（85）がその厚さ方向へ貫通し、冷却側通路（86）がその径方向へ貫通するように形成され、
上記吸着素子（250）をその中心軸周りに回転させる動作を行い、
上記吸着素子（250）の一部分に存する調湿側通路（85）に吸着空気を導入して吸着動作を行うと同時に、対応する冷却側通路（86）に冷却空気を流通させて冷却動作を行い、さらに上記吸着素子（250）の他の一部分に存する調湿側通路（85）に再生空気を導入して再生動作を行うように構成されていることを特徴とする請求項８記載の空気調和装置。
【請求項１３】
冷却空気は、室内空気（RA）の温度と室外空気（OA）の温度に応じた所定の混合割合で室内空気（RA）と室外空気（OA）とが混合されていることを特徴とする請求項８から請求項１２のいずれか１記載の空気調和装置。
【請求項１４】
冷却空気は、室内空気（RA）の温度と室内給気（SA）の温度に応じた所定の混合割合で室内空気（RA）と室外空気（OA）とが混合されていることを特徴とする請求項８から請求項１２のいずれか１記載の空気調和装置。
【請求項１５】
冷却空気は、室内空気（RA）の湿度と室外空気（OA）の湿度に応じた所定の混合割合で室内空気（RA）と室外空気（OA）とが混合されていることを特徴とする請求項８から請求項１４のいずれか１記載の空気調和装置。
【請求項１６】
再生空気が、冷却空気を加熱した空気によって構成されていることを特徴とする請求項９から１５のいずれか１記載の空気調和装置。
【発明の詳細な説明】
【０００１】
【発明の属する技術分野】
本発明は、空気調和装置に関し、特に、吸着空気の通過により水分を吸着する一方で再生空気の通過により水分を脱着する調湿側通路と、調湿側通路における吸着時の吸着熱を吸収するように冷却空気が通過する冷却側通路とを有する吸着素子を用いたデシカント方式の空気調和装置に係るものである。
【０００２】
【従来の技術】
従来より、いわゆるデシカント空調を行う空気調和装置が知られている。この空気調和装置は、空気の湿度を操作して室内に供給することによって空調を行うように構成されている。この空気調和装置は、吸着素子や、加熱器及び冷却器などの構成機器を備えている。上記吸着素子は、吸着空気または再生空気の通過により水分を吸脱着するものであり、例えば特開平９−３１８１２７号公報には、この吸着素子を２つ用いた空気調和装置が記載されている。この空気調和装置では、一方の吸着素子で吸着空気の水分を吸着しながら他方を再生空気で再生する状態と、一方を再生空気で再生しながら他方で吸着空気の水分を吸着する状態とを切り換えて、除湿空気または加湿空気を室内へ連続して供給するように構成されている。
【０００３】
ところで、吸着素子で吸着空気を減湿する際には吸着熱が発生する。そして、吸着空気の温度が上昇すると吸着性能が低下する。そこで、このような問題に対して、吸着素子を冷却空気で冷却することが提案されている。
【０００４】
冷却空気により冷却するタイプの吸着素子は、吸着空気または再生空気が流れる調湿側通路と、冷却空気が流れる冷却側通路とを有している。そして、冷却側通路は、調湿側通路を吸着空気が通過する際に発生する吸着熱を冷却空気で吸収するように構成されている。
【０００５】
上記空気調和装置では、吸着空気を吸着素子の調湿側通路に流して減湿し、さらに冷却器で冷却した後、室内に供給することにより冷房運転を行う。このとき、冷却空気は、吸着素子の冷却側通路を流れることにより吸着空気を冷却し、その後に室外に排出される。また、この動作を所定時間行って吸着素子の水分吸着量が多くなると、上記加熱器により加熱した高温の再生空気を調湿側通路に流すことで該素子が再生される。
【０００６】
【発明が解決しようとする課題】
従来の装置では、冷却空気には室外空気が用いられている。このため、例えば夏の暑い時期などには低い冷却効率しか得ることができず、調湿側通路における吸着熱を十分に回収できない問題がある。そして、このような場合には、装置の吸着性能が低下してしまう。
【０００７】
本発明は、このような問題点に鑑みて創案されたものであり、その目的とするところは、調湿側通路を吸着空気が流れる際の吸着熱で温度が上昇する吸着素子を冷却空気で冷却するときの冷却効率を高めることである。
【０００８】
【課題を解決するための手段】
本発明は、吸着素子に流す冷却空気として、室内空気（RA）、調和空気（CA）、または室内空気（RA）と室外空気（OA）の混合空気（RA＋OA）を用いるようにしたものである。
【０００９】
具体的に、本発明が講じた解決手段は、吸着空気の通過により水分を吸着する一方で再生空気の通過により水分を脱着する調湿側通路（85）と、調湿側通路（85）における吸着時の吸着熱を吸収するように冷却空気が通過する冷却側通路（86）とを有する吸着素子（81,82,250）を備え、該吸着素子（81,82,250）の調湿側通路（85）で空気を調湿して室内へ供給する空気調和装置を前提としている。
【００１０】
そして、第１の解決手段に係る空気調和装置は、冷却空気が室内空気（RA）によって構成されていることを特徴としている。
【００１１】
この第１の解決手段においては、吸着空気が吸着素子（81,82,250）の調湿側通路（85）を流れることにより、該吸着空気に含まれる水分が吸着素子（81,82,250）に吸着され、該吸着空気が減湿される。このとき、該吸着素子（81,82,250）の冷却側通路（86）には、冷却空気として室内空気（RA）が流れ、調湿側通路（85）において発生する吸着熱が冷却空気に回収される。つまり、吸着熱によって吸着空気の温度が上昇して相対湿度が低下すると、吸着空気中の水蒸気が吸着素子（81,82,250）に吸着されにくくなるが、吸着熱を冷却空気で吸収することにより、吸着空気の温度上昇を抑制して相対湿度の低下が抑えられるので、吸着素子（81,82,250）に吸着される水分量が確保される。特に、吸着素子は入口側よりも出口側の温度が高くなるために、従来は出口側で吸着できる水分量が少なくなるのに対して、上記解決手段では入口側から出口側への温度勾配が小さくなるため、吸着水分量が確保される。
【００１２】
また、上記構成において、冷却空気には室内空気（RA）が用いられているため、室外空気（OA）を用いる場合と比べて上記調湿側通路（85）が効率よく冷却される。一方、調湿側通路（85）の水分吸着量が多くなると、該調湿側通路（85）に再生空気を流すことにより、該調湿側通路（85）の水分が再生空気に放出されて吸着素子（81,82,250）が再生される。
【００１３】
また、本発明が講じた第２の解決手段は、上記第１の解決手段において、吸着素子（81,82）を複数備えるとともに、第１の吸着素子（81）の調湿側通路（85）に吸着空気を流通させて吸着動作を行うと同時に第１の吸着素子（81）の冷却側通路（86）に冷却空気を流通させて冷却動作を行い、さらに第２の吸着素子（82）の調湿側通路（85）に再生空気を流通させて再生動作を行う第１動作と、第２の吸着素子（82）の調湿側通路（85）に吸着空気を流通させて吸着動作を行うと同時に第２の吸着素子（82）の冷却側通路（86）に冷却空気を流通させて冷却動作を行い、さらに第１の吸着素子（81）の調湿側通路（85）に再生空気を流通させて再生動作を行う第２動作とが交互に行われるように構成されていることを特徴としている。
【００１４】
この第２の解決手段においては、少なくとも２つの吸着素子（81,82）が空気調和装置に設けられ、第１動作と第２動作が交互に行われる。第１動作では、第１の吸着素子（81）について吸着動作と冷却動作を行い、第２の吸着素子（82）について再生動作を行う。一方、第２動作では、第１動作とは逆に、第２の吸着素子（82）について吸着動作と冷却動作を行い、第１の吸着素子（81）について再生動作を行う。そして、吸着動作により減湿した空気、または再生動作により加湿した空気が室内に供給される運転が連続して行われる。
【００１５】
また、本発明が講じた第３の解決手段は、上記第２の解決手段において、吸着空気、冷却空気及び再生空気の流通経路を切り換えるための切換機構を備え、この切換機構の動作と吸着素子（81,82）を所定の角度だけ回転させる動作とによって第１動作と第２動作の切り換えを行うように構成されていることを特徴としている。
【００１６】
この第３の解決手段では、切換機構が空気調和装置に設けられる。この切換機構の動作により、空気調和装置における空気の流通経路が切り換わる。本解決手段の空気調和装置では、第１動作と第２動作を相互に切り換える際に、上記切換機構が動作すると共に、吸着素子（81,82）を所定角度だけ回転させる動作が行われる。
【００１７】
また、本発明が講じた第４の解決手段は、上記第２の解決手段において、吸着空気、冷却空気及び再生空気の流通経路を切り換えるための切換機構を備え、吸着素子（81,82）を固定した状態で上記切換機構の動作を行うことによって第１動作と第２動作の切り換えを行うように構成されていることを特徴としている。
【００１８】
この第４の解決手段では、切換機構が空気調和装置に設けられる。この切換機構の動作により、空気調和装置における空気の流通経路が切り換わる。本解決手段の空気調和装置では、第１動作と第２動作を相互に切り換える際に、上記切換機構が動作する。その際、吸着素子（81,82）は、固定されていて回転等は行わない。
【００１９】
また、本発明が講じた第５の解決手段は、上記第１の解決手段において、吸着素子（250）が円板状に形成され、かつ調湿側通路（85）がその厚さ方向へ貫通し、冷却側通路（86）がその径方向へ貫通するように形成されるとともに、吸着素子（250）をその中心軸周りに回転させる動作を行いながら、吸着素子（250）の一部分に存する調湿側通路（85）に吸着空気を導入して吸着動作を行うと同時に、対応する冷却側通路（86）に冷却空気を流通させて冷却動作を行い、さらに上記吸着素子（250）の他の一部分に存する調湿側通路（85）に再生空気を導入して再生動作を行うように構成されていることを特徴としている。尚、吸着素子（250）は、連続的に回転させる動作を行ってもよいし、断続的に回転させる動作を行ってもよい。
【００２０】
この第５の解決手段では、吸着素子（250）を回転させながら、該吸着素子（250）の一部分に存する調湿側通路（85）に吸着空気を導入して吸着動作を行うと同時に、対応する冷却側通路（86）に冷却空気を流通させて冷却動作を行い、さらに上記吸着素子（250）の他の一部分に存する調湿側通路（85）に再生空気を導入して再生動作を行うことにより、吸着動作と再生動作とが同時に並行して行われる。
【００２１】
また、本発明が講じた第６の解決手段は、上記第１の解決手段と同じ前提の空気調和装置において、冷却空気が調和空気（CA）によって構成されている。この解決手段では、吸着素子（81,82）を複数備えるとともに、第１の吸着素子（81）の調湿側通路（85）に吸着空気を流通させて吸着動作を行うと同時に第１の吸着素子（81）の冷却側通路（86）に冷却空気を流通させて冷却動作を行い、さらに第２の吸着素子（82）の調湿側通路（85）に再生空気を流通させて再生動作を行う第１動作と、第２の吸着素子（82）の調湿側通路（85）に吸着空気を流通させて吸着動作を行うと同時に第２の吸着素子（82）の冷却側通路（86）に冷却空気を流通させて冷却動作を行い、さらに第１の吸着素子（81）の調湿側通路（85）に再生空気を流通させて再生動作を行う第２動作とが交互に行われるように構成されている。さらに、この解決手段は、吸着空気、冷却空気及び再生空気の流通経路を切り換えるための切換機構を備え、この切換機構の動作と吸着素子（81,82）を所定の角度だけ回転させる動作とによって第１動作と第２動作の切り換えを行うように構成されていることを特徴としている。
【００２２】
この第６の解決手段においては、冷却空気として調和空気（CA）を用いることにより、室内空気（RA）よりもさらに温度の低い空気で吸着素子（81,82,250）を冷却できる。このため、冷却性能をさらに高めることが可能となる。また、この解決手段においては、少なくとも２つの吸着素子（81,82）が空気調和装置に設けられ、第１動作と第２動作が交互に行われる。第１動作では、第１の吸着素子（81）について吸着動作と冷却動作を行い、第２の吸着素子（82）について再生動作を行う。一方、第２動作では、第１動作とは逆に、第２の吸着素子（82）について吸着動作と冷却動作を行い、第１の吸着素子（81）について再生動作を行う。そして、吸着動作により減湿した空気、または再生動作により加湿した空気が室内に供給される運転が連続して行われる。さらに、この解決手段では、切換機構が空気調和装置に設けられる。この切換機構の動作により、空気調和装置における空気の流通経路が切り換わる。本解決手段の空気調和装置では、第１動作と第２動作を相互に切り換える際に、上記切換機構が動作すると共に、吸着素子（81,82）を所定角度だけ回転させる動作が行われる。
【００２３】
また、本発明が講じた第７の解決手段は、上記第２から第６のいずれか１の解決手段において、再生空気が、冷却空気を加熱した空気によって構成されていることを特徴としている。
【００２４】
この第７の解決手段においては、吸着素子（81,82,250）における調湿側通路（85）の吸着熱を吸収して加熱された冷却空気が、さらに加熱されたうえで再生空気として用いられることにより、該素子（81,82,250）が再生される。
【００２５】
また、本発明が講じた第８の解決手段は、上記第１の解決手段と同じ前提の空気調和装置において、冷却空気が室内空気（RA）と室外空気（OA）との混合空気（RA＋OA）によって構成されていることを特徴としている。
【００２６】
この第８の解決手段においては、吸着空気が吸着素子（81,82,250）の調湿側通路（85）を流れることにより、該吸着空気に含まれる水分が吸着素子（81,82,250）に吸着され、該吸着空気が減湿される。このとき、該吸着素子（81,82,250）の冷却側通路（86）には、冷却空気として室内空気（RA）と室外空気（OA）の混合空気（RA＋OA）が流れ、調湿側通路（85）において発生する吸着熱が冷却空気に回収される。つまり、上記第１，第２の解決手段と同様に、吸着熱を冷却空気で吸収することにより、吸着空気の温度上昇を抑制して相対湿度の低下を抑え、吸着素子（81,82,250）に吸着される水分量が確保される。
【００２７】
また、本発明が講じた第９の解決手段は、上記第８の解決手段において、吸着素子（81,82）を複数備え、第１の吸着素子（81）の調湿側通路（85）に吸着空気を流通させて吸着動作を行うと同時に第１の吸着素子（81）の冷却側通路（86）に冷却空気を流通させて冷却動作を行い、さらに第２の吸着素子（82）の調湿側通路（85）に再生空気を流通させて再生動作を行う第１動作と、第２の吸着素子（82）の調湿側通路（85）に吸着空気を流通させて吸着動作を行うと同時に第２の吸着素子（82）の冷却側通路（86）に冷却空気を流通させて冷却動作を行い、さらに第１の吸着素子（81）の調湿側通路（85）に再生空気を流通させて再生動作を行う第２動作とが交互に行われるように構成されていることを特徴としている。
【００２８】
また、本発明が講じた第１０の解決手段は、上記第９の解決手段において、吸着空気、冷却空気及び再生空気の流通経路を切り換えるための切換機構を備え、上記切換機構の動作と吸着素子（81,82）を所定の角度だけ回転させる動作とによって第１動作と第２動作の切り換えを行うように構成されていることを特徴としている。
【００２９】
また、本発明が講じた第１１の解決手段は、上記第９の解決手段において、吸着空気、冷却空気及び再生空気の流通経路を切り換えるための切換機構を備え、吸着素子（81,82）を固定した状態で上記切換機構の動作を行うことによって第１動作と第２動作の切り換えを行うように構成されていることを特徴としている。
【００３０】
上記第９から第１１の解決手段においては、少なくとも２つの吸着素子（81,82）が空気調和装置に設けられ、第１動作と第２動作が交互に行われる。第１動作では、第１の吸着素子（81）について吸着動作と冷却動作を行い、第２の吸着素子（82）について再生動作を行う。一方、第２動作では、第１動作とは逆に、第２の吸着素子（82）について吸着動作と冷却動作を行い、第１の吸着素子（81）について再生動作を行う。そして、吸着動作により減湿した空気、または再生動作により加湿した空気が室内に供給され、運転が連続して行われる。
【００３１】
尚、上記第１０及び第１１の解決手段における具体的な運転の動作は、上記第３及び第４の解決手段と同様である。
【００３２】
また、本発明が講じた第１２の解決手段は、上記第８の解決手段において、吸着素子（250）が円板状に形成され、かつ調湿側通路（85）がその厚さ方向へ貫通し、冷却側通路（86）がその径方向へ貫通するように形成されるとともに、吸着素子（250）をその中心軸周りに回転させる動作を行いながら、吸着素子（250）の一部分に存する調湿側通路（85）に吸着空気を導入して吸着動作を行うと同時に、対応する冷却側通路（86）に冷却空気を流通させて冷却動作を行い、さらに上記吸着素子（250）の他の一部分に存する調湿側通路（85）に再生空気を導入して再生動作を行うように構成されていることを特徴としている。
【００３３】
この第１２の解決手段では、上記第５の解決手段と同様に、吸着素子（250）を回転させながら、該吸着素子（250）の一部分に存する調湿側通路（85）に吸着空気を導入して吸着動作を行うと同時に、対応する冷却側通路（86）に冷却空気を流通させて冷却動作を行い、さらに上記吸着素子（250）の他の一部分に存する調湿側通路（85）に再生空気を導入して再生動作を行うことにより、吸着動作と再生動作とが同時に並行して行われる。
【００３４】
また、本発明が講じた第１３の解決手段は、上記第８から第１２のいずれか１の解決手段において、冷却空気が、室内空気（RA）の温度と室外空気（OA）の温度に応じた所定の混合割合で室内空気（RA）と室外空気（OA）とを混合したものであることを特徴としている。
【００３５】
また、本発明が講じた第１４の解決手段は、上記第８から第１２のいずれか１の解決手段において、冷却空気が、室内空気（RA）の温度と室内給気（SA）の温度に応じた所定の混合割合で室内空気（RA）と室外空気（OA）とを混合したものであることを特徴としている。
【００３６】
上記第１３及び第１４の解決手段においては、室内空気（RA）と室外空気（OA）の混合割合を変化させることにより、冷却性能を調整することができる。
【００３７】
また、本発明が講じた第１５の解決手段は、上記第８から第１４のいずれか１の解決手段において、冷却空気が、室内空気（RA）の湿度と室外空気（OA）の湿度に応じた所定の混合割合で室内空気（RA）と室外空気（OA）とを混合したものであることを特徴としている。
【００３８】
この第１５の解決手段においては、例えば冷却空気を加熱して再生空気とする場合に、再生側に高湿の空気を使うと再生能力が低下するのに対して、湿度を調整した空気で再生することが可能となるので、再生能力の低下を抑えることができる。
【００３９】
また、本発明が講じた第１６の解決手段は、上記第９から第１５のいずれか１の解決手段において、再生空気が、冷却空気を加熱した空気によって構成されていることを特徴としている。
【００４０】
この第１６の解決手段においては、第１の吸着素子（81）における調湿側通路（85）の吸着熱を吸収して加熱された冷却空気が、さらに加熱されたうえで再生空気として第２の吸着素子（82）に導入され、該素子（82）が再生される。
【００４１】
【発明の効果】
上記第１の解決手段によれば、冷却空気として室内空気（RA）を用いているので、吸着素子（81,82,250）の調湿側通路（85）を吸着空気が流れることにより発生する吸着熱が冷却空気に効率よく回収され、該冷却空気として室外空気（OA）を用いる場合と比べて冷却効率が改善される。したがって、吸着性能の低下を抑えることができる。
【００４２】
また、例えば室内空気（RA）が高温低湿で室外空気（OA）が低温多湿とすると、室外空気（OA）だけを冷却空気として使うと冷却効果を稼げて吸着量が増えて行くはずであるが、この場合、再生空気に冷却空気を加熱したものを使うと該空気が多湿であるために吸着量が低下してしまう。また、極寒時など、冷却空気に温度の低すぎる室外空気（OA）を用いると、再生が不十分になったり、再生温度を上げないといけないためにＣＯＰが低下したりすることになる。これに対して、室内空気（RA）を冷却空気に用いると、これらの問題を解消できる。
【００４３】
また、上記第６の解決手段によれば、冷却空気として調和空気（CA）を用いることによって、室内空気（RA）よりもさらに温度の低い空気で吸着素子（81,82,250）を冷却できる。このため、冷却性能をさらに高め、吸着時に発生する吸着熱による吸着性能の低下を確実に防止できる。
【００４４】
また、上記第２〜第７の解決手段によれば、吸着素子（81,82,250）に流す冷却空気として、室内空気（RA）または調和空気（CA）を用いた空気調和装置を具体的に実現できる。
【００４５】
また、上記第８の解決手段によれば、冷却空気として室内空気（RA）と室外空気（OA）の混合空気（RA＋OA）を用いることにより、冷却空気として室外空気（OA）だけを用いる場合と比較して冷却性能を高めることができる。
【００４６】
また、上記第９〜第１２の解決手段によれば、上記第２〜第６の解決手段と同様の効果を奏する。
【００４７】
また、上記第１３及び第１４の解決手段によれば、室内空気（RA）と室外空気（OA）の混合割合を変化させることにより、冷却性能を調整することができる。例えば、室外空気（OA）または室内空気（RA）の一方を冷却空気として用いるとともに、上記第１６の解決手段のように冷却空気を加熱して再生空気とする場合は、冷却空気の温度が低いと冷却性能を高めることができる反面、再生加熱のためにＣＯＰが低下する。これに対して、室内空気（RA）と室外空気（OA）の混合空気（RA＋OA）を用い、その混合割合を変化させると、冷却性能と再生効率のバランスをとることができる。尚、上記混合割合を、室外空気（OA）と室内空気（RA）の温度差に基づいて定める場合と、室内給気（SA）と室内空気（RA）の温度差に基づいて定める場合は、いずれも同様の効果が得られる。つまり、これらの解決手段において、室外空気（OA）と室内給気（SA）はほぼ等価に作用する。
【００４８】
また、上記第１５の解決手段によれば、冷却空気を加熱して再生空気とする場合に、再生側に高湿の空気を使うと再生能力が低下するのに対して、湿度を調整した空気で再生することが可能となるので、再生能力の低下を抑えることができる。
【００４９】
【発明の実施の形態１】
以下、本発明の実施形態１を図面に基づいて詳細に説明する。尚、以下の説明において、「上」 「下」 「左」 「右」 「前」 「後」 「手前」 「奥」 は、何れも参照する図面におけるものを意味している。
【００５０】
この実施形態１に係る空気調和装置は、減湿して冷却した室外空気（OA）を室内へ供給する除湿運転と、加熱して加湿した室外空気（OA）を室内へ供給する加湿運転とを切り換えて行うように構成されている。また、この空気調和装置は、２つの吸着素子（81,82）を備え、いわゆるバッチ式の動作を行うように構成されている。
【００５１】
まず、本実施形態に係る空気調和装置の構成について、図１〜図５を参照しながら説明する。図１，図５に示すように、上記空気調和装置は、やや扁平な直方体状のケーシング（10）を備えている。このケーシング（10）には、４つの回転ダンパ（71,72,73,74）と、２つの吸着素子（81,82）と、１つの冷媒回路とが収納されている。尚、図１においては、上記回転ダンパ（71〜74）の図示を省略している。
【００５２】
図２に示すように、上記回転ダンパ（71〜74）は、円板状の端面部（75）と、該端面部（75）の外周から垂直に延びる周側部（76）とを備えている。端面部（75）は、その一部が中心角９０°の扇形状に切り欠かれている。また、周側部（76）についても、端面部（75）の切り欠きに対応する部分が切り欠かれている。端面部（75）及び周側部（76）の切り欠き部分は、回転ダンパ（71〜74）の切欠き開口（77）を構成している。この回転ダンパ（71〜74）は、端面部（75）の中心を通る軸周りに回転可能に構成されている。そして、回転ダンパ（71〜74）は、空気の流通経路を切り換えるための切換機構を構成している。
【００５３】
図３に示すように、上記吸着素子（81,82）は、正方形状の平板部材（83）と波板部材（84）とを交互に積層して構成されている。波板部材（84）は、隣接する波板部材（84）の稜線方向が互いに９０°ずれる姿勢で積層されている。そして、吸着素子（81,82）は、四角柱状に形成されている。つまり、各吸着素子（81,82）は、その端面が平板部材（83）と同様の正方形状に形成されている。
【００５４】
上記吸着素子（81,82）には、平板部材（83）及び波板部材（84）の積層方向において、調湿側通路（85）と冷却側通路（86）とが平板部材（83）を挟んで交互に区画形成されている。吸着素子（81,82）において、対向する一対の側面に調湿側通路（85）が開口し、これとは別の対向する一対の側面に冷却側通路（86）が開口している。また、調湿側通路（85）に臨む平板部材（83）の表面や、調湿側通路（85）に設けられた波板部材（84）の表面には、水蒸気を吸着するための吸着剤が塗布されている。この種の吸着剤としては、例えばシリカゲル、ゼオライト、イオン交換樹脂等が挙げられる。調湿側通路（85）は、吸着空気の通過により水分を吸着する一方で再生空気の通過により水分を脱着し、冷却側通路（86）は、調湿側通路（85）における吸着時の吸着熱を吸収するように冷却空気が通過する。
【００５５】
上記冷媒回路は、圧縮機（91）と、凝縮器である再生熱交換器（92）と、膨張機構である膨張弁と、蒸発器である第１及び第２冷却熱交換器（93,94）とを配管接続して形成された閉回路である。このうち、再生熱交換器（92）は、加熱器を構成している。尚、冷媒回路の全体構成及び膨張弁の図示は省略する。
【００５６】
この冷媒回路は、充填された冷媒を循環させて、蒸気圧縮式の冷凍サイクルを行うように構成されている。また、冷媒回路では、第１冷却熱交換器（93）と第２冷却熱交換器（94）とが並列に接続されている。そして、冷媒回路は、第１冷却熱交換器（93）だけを蒸発器として第２冷却熱交換器（94）へ冷媒を導入しない動作と、第２冷却熱交換器（94）だけを蒸発器として第１冷却熱交換器（93）へ冷媒を導入しない動作とを切り換えて行うように構成されている。
【００５７】
図１，図５に示すように、上記ケーシング（10）において、最も手前側には室外側パネル（11）が設けられ、最も奥側には室内側パネル（12）が設けられている。室外側パネル（11）には、その右上隅部に給気側入口（13）が形成され、その下部の左寄りに排気側出口（16）が形成されている。一方、室内側パネル（12）には、その右下隅部に給気側出口（14）が形成され、その左上隅部に排気側入口（15）が形成されている。
【００５８】
上記ケーシング（10）には、４枚の仕切板（21,24,34,31）が収納されている。これら仕切板（21,24,…）は、手前から奥に向かって順に立設され、ケーシング（10）の内部空間を前後に仕切っている。また、これら仕切板（21,24,…）によって区画されたケーシング（10）の内部空間は、それぞれが更に上下に仕切られている。
【００５９】
室外側パネル（11）と第１仕切板（21）の間には、上側の第１上部流路（41）と下側の第１下部流路（42）とが区画形成されている。第１上部流路（41）は、給気側入口（13）によって室外空間と連通されている。第１下部流路（42）は、排気側出口（16）によって室外空間と連通されている。この第１下部流路（42）には、第１冷却熱交換器（93）が設置されている。また、室外側パネル（11）と第１仕切板（21）の間には、その左寄りに圧縮機（91）が設置されている。
【００６０】
第１仕切板（21）と第２仕切板（24）の間には、２つの回転ダンパ（71,72）が左右に並んで設置されている。具体的には、右寄りに第１回転ダンパ（71）が設けられ、左寄りに第２回転ダンパ（72）が設けられている。これらの回転ダンパ（71,72）は、端面部（75）が第２仕切板（24）の方を向く姿勢で設置されている。また、これらの回転ダンパ（71,72）は、第１仕切板（21）と第２仕切板（24）の両方に接触しながら回転するように配置されている。
【００６１】
第１仕切板（21）と第２仕切板（24）の間は、上下に区画されると同時に、上下の各空間が第１及び第２回転ダンパ（71,72）によって更に３つに仕切られている。第１回転ダンパ（71）の右側には、上側の第２右上部流路（43）と下側の第２右下部流路（44）とが区画形成されている。第１回転ダンパ（71）と第２回転ダンパ（72）の間には、上側の第２中央上部流路（45）と下側の第２中央下部流路（46）とが区画形成されている。第２回転ダンパ（72）の左側には、上側の第２左上部流路（47）と下側の第２左下部流路（48）とが区画形成されている。
【００６２】
上記第１仕切板（21）には、２つの開口が形成されている。右側に開口する第１右側開口（22）は、円形の開口であって、第１回転ダンパ（71）に対応する位置に形成されている。左側に開口する第１左側開口（23）は、円形の開口であって、第２回転ダンパ（72）に対応する位置に形成されている。第１右側開口（22）及び第１左側開口（23）には、それぞれ開閉シャッタが設けられている。この開閉シャッタを操作することにより、第１右側開口（22）及び第１左側開口（23）は、その上半分だけが開口する状態と、その下半分だけが開口する状態とに切り換わる。この開閉シャッタは、切換機構を構成している。
【００６３】
第２仕切板（24）と第３仕切板（34）の間には、２つの吸着素子（81,82）が左右に並んで設置されている。具体的には、右寄りに第１吸着素子（81）が設けられ、左寄りに第２吸着素子（82）が設けられている。これら吸着素子（81,82）は、それぞれの長手方向がケーシング（10）の長手方向と一致する姿勢で、平行に配置されている。また、図４にも示すように、これら吸着素子（81,82）は、その端面が正方形を４５°回転させた菱形をなす姿勢で設置されている。つまり、各吸着素子（81,82）は、その端面における一方の対角線が互いに一直線上に並ぶような姿勢で設置されている。更に、各吸着素子（81,82）は、その端面の中心を通る軸周りに回転可能に構成されている。
【００６４】
第２仕切板（24）と第３仕切板（34）の間は、上下に区画されると同時に、上下の各空間が第１及び第２吸着素子（81,82）によって更に３つに仕切られている。つまり、第１吸着素子（81）の右側には、上側の第３右上部流路（51）と下側の第３右下部流路（52）とが区画形成されている。第１吸着素子（81）と第２吸着素子（82）の間には、上側の第３中央上部流路（53）と下側の第３中央下部流路（54）とが区画形成されている。第２吸着素子（82）の左側には、上側の第３左上部流路（55）と下側の第３左下部流路（56）とが区画形成されている。また、第３中央下部流路（54）は、再生用の空気流路を構成している。冷媒回路の再生熱交換器（92）は、この第３中央下部流路（54）を横断する姿勢で設置されている。
【００６５】
上記第２仕切板（24）には、５つの開口が形成されている。右上隅部に開口する第２右上開口（25）は、第２右上部流路（43）と第３右上部流路（51）とを連通させている。右下隅部に開口する第２右下開口（26）は、第２右下部流路（44）と第３右下部流路（52）とを連通させている。上部中央に開口する第２中央開口（27）は、第２中央上部流路（45）と第３中央上部流路（53）とを連通させている。左上隅部に開口する第２左上開口（28）は、第２左上部流路（47）と第３左上部流路（55）とを連通させている。左下隅部に開口する第２左下開口（29）は、第２左下部流路（48）と第３左下部流路（56）とを連通させている。
【００６６】
第２右上開口（25）、第２右下開口（26）、第２中央開口（27）、第２左上開口（28）、及び第２左下開口（29）には、それぞれ開閉シャッタが設けられている。この開閉シャッタを操作することにより、第２右上開口（25）、第２右下開口（26）、第２中央開口（27）、第２左上開口（28）、及び第２左下開口（29）は、連通状態と遮断状態とに切り換わる。この開閉シャッタは、切換機構を構成している。
【００６７】
第３仕切板（34）と第４仕切板（31）の間には、２つの回転ダンパ（73,74）が左右に並んで設置されている。具体的には、右寄りに第３回転ダンパ（73）が設けられ、左寄りに第４回転ダンパ（74）が設けられている。これらの回転ダンパ（73,74）は、端面部（75）が第３仕切板（34）の方を向く姿勢で設置されている。また、これらの回転ダンパ（73,74）は、第３仕切板（34）と第４仕切板（31）の両方に接触しながら回転するように配置されている。
【００６８】
第３仕切板（34）と第４仕切板（31）の間は、上下に区画されると同時に、上下の各空間が第３及び第４回転ダンパ（73,74）によって更に３つに仕切られている。つまり、第３回転ダンパ（73）の右側には、上側の第４右上部流路（63）と下側の第４右下部流路（64）とが区画形成されている。第３回転ダンパ（73）と第４回転ダンパ（74）の間には、上側の第４中央上部流路（65）と下側の第４中央下部流路（66）とが区画形成されている。第４回転ダンパ（74）の左側には、上側の第４左上部流路（67）と下側の第４左下部流路（68）とが区画形成されている。
【００６９】
上記第３仕切板（34）には、５つの開口が形成されている。右上隅部に開口する第３右上開口（35）は、第３右上部流路（51）と第４右上部流路（63）とを連通させている。右下隅部に開口する第３右下開口（36）は、第３右下部流路（52）と第４右下部流路（64）とを連通させている。上部中央に開口する第３中央開口（37）は、第３中央上部流路（53）と第４中央上部流路（65）とを連通させている。左上隅部に開口する第３左上開口（38）は、第３左上部流路（55）と第４左上部流路（67）とを連通させている。左下隅部に開口する第３左下開口（39）は、第３左下部流路（56）と第４左下部流路（68）とを連通させている。
【００７０】
第３右上開口（35）、第３右下開口（36）、第３中央開口（37）、第３左上開口（38）、及び第３左下開口（39）には、それぞれ開閉シャッタが設けられている。この開閉シャッタを操作することにより、第３右上開口（35）、第３右下開口（36）、第３中央開口（37）、第３左上開口（38）、及び第３左下開口（39）は、連通状態と遮断状態とに切り換わる。この開閉シャッタは、切換機構を構成している。
【００７１】
上記第４仕切板（31）には、２つの開口が形成されている。右側に開口する第４右側開口（32）は、円形の開口であって、第３回転ダンパ（73）に対応する位置に形成されている。左側に開口する第４左側開口（33）は、円形の開口であって、第４回転ダンパ（74）に対応する位置に形成されている。第４右側開口（32）及び第４左側開口（33）には、それぞれ開閉シャッタが設けられている。この開閉シャッタを操作することにより、第４右側開口（32）及び第４左側開口（33）は、その上半分だけが開口する状態と、その下半分だけが開口する状態とに切り換わる。この開閉シャッタは、切換機構を構成している。
【００７２】
第４仕切板（31）と室内側パネル（12）の間には、上側の第５上部流路（61）と下側の第５下部流路（62）とが区画形成されている。第５上部流路（61）は、排気側入口（15）によって室内空間と連通されている。この第５上部流路（61）には、排気ファン（96）が設置されている。一方、第５下部流路（62）は、給気側出口（14）によって室内空間と連通されている。この第５下部流路（62）には、給気ファン（95）と第２冷却熱交換器（94）とが設置されている。
【００７３】
−運転動作−
まず、吸着素子（81,82）における基本的な作用について説明し、その後、上記空気調和装置の具体的な運転動作を説明する。
【００７４】
図９において、吸着素子（81,82）には、調湿側通路（85）を吸着空気が流れ、冷却側通路（86）を冷却空気が流れている。この状態において、調湿側通路（85）では吸着空気の水分が吸着剤に吸着され、該吸着空気が減湿される。このとき、吸着熱が発生するが、該吸着熱は、冷却側通路（86）を流れる冷却空気に回収される。
【００７５】
ここで、冷却空気に室外空気（OA）を用いると、室外が高温の時には冷却効果が低下するため、素子（81,82）の温度が上昇し、十分な除湿量を稼げなくなる。特に、吸着空気の入口側から出口側への温度上昇が大きくなるため、出口側での除湿量が不十分になりがちである。これに対し、室外空気（OA）よりも低温の空気を冷却空気に用いると、吸着側の温度上昇を抑えられるため、特に入口側から出口側への温度勾配が小さくなり、除湿量を稼ぐことが可能となる。
【００７６】
この冷却空気には、例えば室内空気（RA）を用いることができる。また、冷却空気には、破線で示す冷却器などにより冷却した調和空気（CA）を用いてもよい。調和空気（CA）を用いると、室内空気（RA）よりも低温の空気で吸着素子（81,82）を冷却できるため、冷却効果をより高めることで十分な除湿量を稼ぐことができる。
【００７７】
また、冷却空気には、室内空気（RA）と室外空気（OA）の混合空気（RA＋OA）を用いてもよい。そこで、以下に、室内空気（RA）と室外空気（OA）の混合空気（RA＋OA）を冷却空気として用いた場合における上記空気調和装置の具体的な運転動作について、図４〜図８を参照しながら説明する。尚、図４は、ケーシング（10）内における第２仕切板（24）と第３仕切板（34）の間の部分を、模式的に図示したものである。
【００７８】
《除湿運転》
除湿運転時には、室外空気（OA）を減湿して室内に供給する一方、室外空気（OA）を減湿する際に吸着素子（81,82）で発生する吸着熱を、室内空気（RA）と室外空気（OA）の混合空気（RA＋OA）で回収し、排出するようにしている。
【００７９】
図５，図６に示すように、除湿運転時において、給気ファン（95）を駆動すると、室外空気（OA）が給気側入口（13）を通じてケーシング（10）内に取り込まれる。この室外空気（OA）は、吸着空気を構成する第１空気として第１上部流路（41）へ流入する。一方、排気ファン（96）を駆動すると、室内空気（RA）と室外空気（OA）の混合空気（RA＋OA）が排気側入口（15）を通じてケーシング（10）内に取り込まれる。この混合空気（RA＋OA）は、冷却空気及び再生空気を構成する第２空気として第５上部流路（61）へ流入する。
【００８０】
また、除湿運転において、冷媒回路では、再生熱交換器（92）を凝縮器とし、第２冷却熱交換器（94）を蒸発器として冷凍サイクルが行われる。つまり、除湿運転において、第１冷却熱交換器（93）では冷媒が流通しない。そして、上記空気調和装置は、第１動作と第２動作とを交互に繰り返すことによって除湿運転を行う。
【００８１】
除湿運転の第１動作について、図５を参照しながら説明する。この第１動作では、第１吸着素子（81）についての吸着動作及び冷却動作と、第２吸着素子（82）についての再生動作とが行われる。つまり、第１動作中には、第１吸着素子（81）で空気が減湿されるとともに素子（81）が冷却され、同時に第２吸着素子（82）の吸着剤が再生される。
【００８２】
尚、この第１動作時において、第２仕切板（24）では、第２右上開口（25）、第２中央開口（27）、及び第２左下開口（29）が閉鎖されている。また、第３仕切板（34）では、第３右下開口（36）、第３左上開口（38）、及び第３左下開口（39）が閉鎖されている。
【００８３】
第１右側開口（22）は、上半分が開口している。第１回転ダンパ（71）の切欠き開口（77）は、右下に位置する姿勢となって第２右下部流路（44）に開口している。第２仕切板（24）の第２右下開口（26）は、連通状態となっている。この状態で、第１上部流路（41）へ流入した第１空気は、順に第１右側開口（22）、第１回転ダンパ（71）の内部、第２右下部流路（44）、第２右下開口（26）を通過し、第３右下部流路（52）へ流入する。
【００８４】
第４右側開口（32）は、上半分が開口している。第３回転ダンパ（73）の切欠き開口（77）は、右上に位置する姿勢となって第４右上部流路（63）に開口している。第３仕切板（34）の第３右上開口（35）は、連通状態となっている。この状態で、第５上部流路（61）へ流入した第２空気は、順に第４右側開口（32）、第３回転ダンパ（73）の内部、第４右上部流路（63）、第３右上開口（35）を通過し、第３右上部流路（51）へ流入する。
【００８５】
第１吸着素子（81）は、その調湿側通路（85）が第３右下部流路（52）及び第３中央上部流路（53）と連通し、その冷却側通路（86）が第３右上部流路（51）及び第３中央下部流路（54）と連通している。また、第２吸着素子（82）は、その調湿側通路（85）が第３中央下部流路（54）及び第３左上部流路（55）と連通し、その冷却側通路（86）が第３中央上部流路（53）及び第３左下部流路（56）と連通している。
【００８６】
図４（ａ）にも示すように、この状態において、第１空気は、吸着空気として第３右下部流路（52）から第１吸着素子（81）の調湿側通路（85）へ流入する。この調湿側通路（85）を流れる間に、第１空気に含まれる水蒸気が吸着剤に吸着される。調湿側通路（85）で減湿された第１空気は、第３中央上部流路（53）へ流入する。
【００８７】
一方、第２空気は、第３右上部流路（51）から第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却空気として冷却側通路（86）を流れる。吸着熱を奪った第２空気は、第３中央下部流路（54）へ流入する。第３中央下部流路（54）を流れる間に、第２空気は再生熱交換器（92）を通過する。再生熱交換器（92）において、第２空気は、冷媒との熱交換を行い、冷媒の凝縮熱を吸熱する。
【００８８】
第１吸着素子（81）及び再生熱交換器（92）で加熱された第２空気は、再生空気として第２吸着素子（82）の調湿側通路（85）へ導入される。この調湿側通路（85）では、第２空気によって吸着剤が加熱され、吸着剤から水蒸気が脱離する。つまり、吸着剤の再生が行われる。吸着剤から脱離した水蒸気は、第２空気と共に第３左上部流路（55）へ流入する。
【００８９】
第３仕切板（34）の第３中央開口（37）は、連通状態となっている。第４回転ダンパ（74）の切欠き開口（77）は、右上に位置する姿勢となって第４中央上部流路（65）に開口している。第４左側開口（33）は、下半分が開口している。この状態で、第１吸着素子（81）で減湿された第１空気は、順に第３中央上部流路（53）、第３中央開口（37）、第４中央上部流路（65）、第４回転ダンパ（74）の内部、第４左側開口（33）を通過し、第５下部流路（62）へ流入する。
【００９０】
第５下部流路（62）を流れる間に、第１空気は第２冷却熱交換器（94）を通過する。第２冷却熱交換器（94）において、第１空気は、冷媒との熱交換を行い、冷媒に対して放熱する。そして、減湿されて冷却された第１空気は、給気側出口（14）を通って室内へ供給される。
【００９１】
第２仕切板（24）の第２左上開口（28）は、連通状態となっている。第２回転ダンパ（72）の切欠き開口（77）は、左上に位置する姿勢となって第２左上部流路（47）に開口している。第１左側開口（23）は、下半分が開口している。この状態で、第２吸着素子（82）から流出した第２空気は、順に第３左上部流路（55）、第２左上開口（28）、第２左上部流路（47）、第２回転ダンパ（72）の内部、第１左側開口（23）を通過し、第１下部流路（42）へ流入する。
【００９２】
第１下部流路（42）を流れる間に、第２空気は第１冷却熱交換器（93）を通過する。このとき、第１冷却熱交換器（93）において冷媒は流通していない。従って、第２空気は、単に第１冷却熱交換器（93）を通過するだけで、吸熱も放熱もしない。その後、第２空気は、排気側出口（16）を通って室外へ排出される。
【００９３】
除湿運転の第２動作について、図６を参照しながら説明する。この第２動作では、第２吸着素子（82）についての吸着動作及び冷却動作と、第１吸着素子（81）についての再生動作とが行われる。つまり、第２動作時には、第２吸着素子（82）で空気が減湿されるとともに素子（81）が冷却され、同時に第１吸着素子（81）の吸着剤が再生される。
【００９４】
尚、この第２動作時において、第２仕切板（24）では、第２右下開口（26）、第２中央開口（27）、及び第２左上開口（28）が閉鎖されている。また、第３仕切板（34）では、第３右上開口（35）、第３右下開口（36）、及び第３左下開口（39）が閉鎖されている。
【００９５】
第１左側開口（23）は、上半分が開口している。第２回転ダンパ（72）の切欠き開口（77）は、左下に位置する姿勢となって第２左下部流路（48）に開口している。第２仕切板（24）の第２左下開口（29）は、連通状態となっている。この状態で、第１上部流路（41）へ流入した第１空気は、順に第１左側開口（23）、第２回転ダンパ（72）の内部、第２左下部流路（48）、第２左下開口（29）を通過し、第３左下部流路（56）へ流入する。
【００９６】
第４左側開口（33）は、上半分が開口している。第４回転ダンパ（74）の切欠き開口（77）は、左上に位置する姿勢となって第４左上部流路（67）に開口している。第３仕切板（34）の第３左上開口（38）は、連通状態となっている。この状態で、第５上部流路（61）へ流入した第２空気は、順に第４左側開口（33）、第４回転ダンパ（74）の内部、第４左上部流路（67）、第３左上開口（38）を通過し、第３左上部流路（55）へ流入する。
【００９７】
第１動作から第２動作へ切り換わる際には、第１吸着素子（81）及び第２吸着素子（82）が９０°だけ回転する（図４（ｂ）を参照）。そして、第２吸着素子（82）は、その調湿側通路（85）が第３左下部流路（56）及び第３中央上部流路（53）と連通し、その冷却側通路（86）が第３左上部流路（55）及び第３中央下部流路（54）と連通している。また、第１吸着素子（81）は、その調湿側通路（85）が第３中央下部流路（54）及び第３右上部流路（51）と連通し、その冷却側通路（86）が第３中央上部流路（53）及び第３右下部流路（52）と連通している。
【００９８】
図４（ｃ）にも示すように、この状態において、第１空気は、吸着空気として第３左下部流路（56）から第２吸着素子（82）の調湿側通路（85）へ流入する。この調湿側通路（85）を流れる間に、第１空気に含まれる水蒸気が吸着剤に吸着される。調湿側通路（85）で減湿された第１空気は、第３中央上部流路（53）へ流入する。
【００９９】
一方、第２空気は、第３左上部流路（55）から第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却空気として冷却側通路（86）を流れる。吸着熱を奪った第２空気は、第３中央下部流路（54）へ流入する。第３中央下部流路（54）を流れる間に、第２空気は再生熱交換器（92）を通過する。再生熱交換器（92）において、第２空気は、冷媒との熱交換を行い、冷媒の凝縮熱を吸熱する。
【０１００】
第２吸着素子（82）及び再生熱交換器（92）で加熱された第２空気は、再生空気として第１吸着素子（81）の調湿側通路（85）へ導入される。この調湿側通路（85）では、第２空気によって吸着剤が加熱され、吸着剤から水蒸気が脱離する。つまり、吸着剤の再生が行われる。吸着剤から脱離した水蒸気は、第２空気と共に第３右上部流路（51）へ流入する。
【０１０１】
第３仕切板（34）の第３中央開口（37）は、連通状態となっている。第３回転ダンパ（73）の切欠き開口（77）は、左上に位置する姿勢となって第４中央上部流路（65）に開口している。第４右側開口（32）は、下半分が開口している。この状態で、第２吸着素子（82）で減湿された第１空気は、順に第３中央上部流路（53）、第３中央開口（37）、第４中央上部流路（65）、第３回転ダンパ（73）の内部、第４右側開口（32）を通過し、第５下部流路（62）へ流入する。
【０１０２】
第５下部流路（62）を流れる間に、第１空気は第２冷却熱交換器（94）を通過する。第２冷却熱交換器（94）において、第１空気は、冷媒との熱交換を行い、冷媒に対して放熱する。そして、減湿されて冷却された第１空気は、給気側出口（14）を通って室内へ供給される。
【０１０３】
第２仕切板（24）の第２右上開口（25）は、連通状態となっている。第１回転ダンパ（71）の切欠き開口（77）は、右上に位置する姿勢となって第２右上部流路（43）に開口している。第１右側開口（22）は、下半分が開口している。この状態で、第１吸着素子（81）から流出した第２空気は、順に第３右上部流路（51）、第２右上開口（25）、第２右上部流路（43）、第１回転ダンパ（71）の内部、第１右側開口（22）を通過し、第１下部流路（42）へ流入する。
【０１０４】
第１下部流路（42）を流れる間に、第２空気は第１冷却熱交換器（93）を通過する。このとき、第１冷却熱交換器（93）において冷媒は流通していない。従って、第２空気は、単に第１冷却熱交換器（93）を通過するだけで、吸熱も放熱もしない。その後、第２空気は、排気側出口（16）を通って室外へ排出される。
【０１０５】
上述のように、第１動作中は第１吸着素子（81）についての吸着動作及び冷却動作と第２吸着素子（82）についての再生動作とが行われ、第２動作中は第１吸着素子（81）についての再生動作と第２吸着素子（82）についての吸着動作及び冷却動作とが行われる。
【０１０６】
その際、各吸着素子（81,82）の調湿側通路（85）で発生する吸着熱は、冷却側通路（86）を流れる第２空気に回収される。このため、吸着素子（81,82）が第２空気によって冷却され、吸着素子の温度上昇が抑えられる。つまり、吸着熱によって第１空気の温度が上昇して相対湿度が低下すると、第１空気中の水蒸気が吸着素子（81,82）に吸着されにくくなるが、吸着熱を第２空気で吸収することにより、第１空気の温度上昇を抑制して相対湿度の低下を抑えることができるので、吸着素子（81,82）に吸着される水分量が確保される。また、冷却空気を構成する第２空気には室内空気（RA）と室外空気（OA）の混合空気（RA＋OA）が用いられているため、上記調湿側通路（85）は効率よく冷却される。
【０１０７】
一方、調湿側通路（85）の水分吸着量が多くなると、該調湿側通路（85）に第２空気として再生空気を流すことにより、該調湿側通路（85）の水分が第２空気に放出されて吸着素子（81,82）が再生される。
【０１０８】
このように、冷房運転中に吸着素子（81,82）に流す冷却空気として室内空気（RA）と室外空気（OA）の混合空気（RA＋OA）を用いたことによって、吸着素子（81,82）を効率よく冷却し、性能の低下を防止できる。
【０１０９】
《加湿運転》
加湿運転時には、室内空気（RA）と室外空気（OA）の混合空気（RA＋OA）が加湿され、室内に供給される。図７，図８に示すように、加湿運転時において、給気ファン（95）を駆動すると、室内空気（RA）と室外空気（OA）の混合空気（RA＋OA）が給気側入口（13）を通じてケーシング（10）内に取り込まれる。この混合空気（RA＋OA）は、冷却空気及び再生空気を構成する第２空気として第１上部流路（41）へ流入する。一方、排気ファン（96）を駆動すると、室内空気（RA）が排気側入口（15）を通じてケーシング（10）内に取り込まれる。この室内空気（RA）は、吸着空気を構成する第１空気として第５上部流路（61）へ流入する。
【０１１０】
また、加湿運転において、冷媒回路では、再生熱交換器（92）を凝縮器とし、第１冷却熱交換器（93）を蒸発器として冷凍サイクルが行われる。つまり、加湿運転において、第２冷却熱交換器（94）では冷媒が流通しない。そして、上記空気調和装置は、第１動作と第２動作とを交互に繰り返すことによって加湿運転を行う。
【０１１１】
加湿運転の第１動作について、図７を参照しながら説明する。この第１動作では、第１吸着素子（81）についての吸着動作及び冷却動作と、第２吸着素子（82）についての再生動作とが行われる。つまり、第１動作時には、第２吸着素子（82）で空気が加湿され、第１吸着素子（81）の吸着剤が水蒸気を吸着する。
【０１１２】
尚、この第１動作時において、第２仕切板（24）では、第２右下開口（26）、第２左上開口（28）、及び第２左下開口（29）が閉鎖されている。また、第３仕切板（34）では、第３右上開口（35）、第３中央開口（37）、及び第３左下開口（39）が閉鎖されている。
【０１１３】
第１右側開口（22）は、上半分が開口している。第１回転ダンパ（71）の切欠き開口（77）は、右上に位置する姿勢となって第２右上部流路（43）に開口している。第２仕切板（24）の第２右上開口（25）は、連通状態となっている。この状態で、第１上部流路（41）へ流入した第２空気は、順に第１右側開口（22）、第１回転ダンパ（71）の内部、第２右上部流路（43）、第２右上開口（25）を通過し、第３右上部流路（51）へ流入する。
【０１１４】
第４右側開口（32）は、上半分が開口している。第３回転ダンパ（73）の切欠き開口（77）は、右下に位置する姿勢となって第４右下部流路（64）に開口している。第３仕切板（34）の第３右下開口（36）は、連通状態となっている。この状態で、第５上部流路（61）へ流入した第１空気は、順に第４右側開口（32）、第３回転ダンパ（73）の内部、第４右下部流路（64）、第３右下開口（36）を通過し、第３右下部流路（52）へ流入する。
【０１１５】
図４（ａ）にも示すように、第１吸着素子（81）は、その調湿側通路（85）が第３右下部流路（52）及び第３中央上部流路（53）と連通し、その冷却側通路（86）が第３右上部流路（51）及び第３中央下部流路（54）と連通している。また、第２吸着素子（82）は、その調湿側通路（85）が第３中央下部流路（54）及び第３左上部流路（55）と連通し、その冷却側通路（86）が第３中央上部流路（53）及び第３左下部流路（56）と連通している。
【０１１６】
この状態において、第１空気は、吸着空気として第３右下部流路（52）から第１吸着素子（81）の調湿側通路（85）へ流入する。この調湿側通路（85）を流れる間に、第１空気に含まれる水蒸気が吸着剤に吸着される。調湿側通路（85）で水分を奪われた第１空気は、第３中央上部流路（53）へ流入する。
【０１１７】
一方、第２空気は、第３右上部流路（51）から第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却空気として冷却側通路（86）を流れる。吸着熱を奪った第２空気は、第３中央下部流路（54）へ流入する。第３中央下部流路（54）を流れる間に、第２空気は再生熱交換器（92）を通過する。再生熱交換器（92）において、第２空気は、冷媒との熱交換を行い、冷媒の凝縮熱を吸熱する。
【０１１８】
第１吸着素子（81）及び再生熱交換器（92）で加熱された第２空気は、再生空気として第２吸着素子（82）の調湿側通路（85）へ導入される。この調湿側通路（85）では、第２空気によって吸着剤が加熱され、吸着剤から水蒸気が脱離する。つまり、吸着剤の再生が行われる。そして、吸着剤から脱離した水蒸気が第２空気に付与され、第２空気が加湿される。第２吸着素子（82）において加湿された第２空気は、第３左上部流路（55）へ流入する。
【０１１９】
第３仕切板（34）の第３左上開口（38）は、連通状態となっている。第４回転ダンパ（74）の切欠き開口（77）は、左上に位置する姿勢となって第４左上部流路（67）に開口している。第４左側開口（33）は、下半分が開口している。この状態で、第２吸着素子（82）で加湿された第２空気は、順に第３左上部流路（55）、第３左上開口（38）、第４左上部流路（67）、第４回転ダンパ（74）の内部、第４左側開口（33）を通過し、第５下部流路（62）へ流入する。
【０１２０】
第５下部流路（62）を流れる間に、第２空気は第２冷却熱交換器（94）を通過する。このとき、第２冷却熱交換器（94）において冷媒は流通していない。従って、第２空気は、単に第２冷却熱交換器（94）を通過するだけで、吸熱も放熱もしない。そして、加熱されて加湿された第２空気は、給気側出口（14）を通って室内へ供給される。
【０１２１】
第２仕切板（24）の第２中央開口（27）は、連通状態となっている。第２回転ダンパ（72）の切欠き開口（77）は、右上に位置する姿勢となって第２中央上部流路（45）に開口している。第１左側開口（23）は、下半分が開口している。この状態で、第１吸着素子（81）で水蒸気を奪われた第１空気は、順に第３中央上部流路（53）、第２中央開口（27）、第２中央上部流路（45）、第２回転ダンパ（72）の内部、第１左側開口（23）を通過し、第１下部流路（42）へ流入する。
【０１２２】
第１下部流路（42）を流れる間に、第１空気は第１冷却熱交換器（93）を通過する。第１冷却熱交換器（93）では、第１空気が冷媒と熱交換を行い、冷媒回路の冷媒が第１空気から吸熱して蒸発する。その後、第１空気は、排気側出口（16）を通って室外へ排出される。
【０１２３】
加湿運転の第２動作について、図８を参照しながら説明する。この第２動作では、第２吸着素子（82）についての吸着動作及び冷却動作と、第１吸着素子（81）についての再生動作とが行われる。つまり、第２動作時には、第１吸着素子（81）で空気が加湿され、第２吸着素子（82）の吸着剤が水蒸気を吸着する。
【０１２４】
尚、この第２動作時において、第２仕切板（24）では、第２右上開口（25）、第２右下開口（26）、及び第２左下開口（29）が閉鎖されている。また、第３仕切板（34）では、第３右下開口（36）、第３中央開口（37）、及び第３左上開口（38）が閉鎖されている。
【０１２５】
第１左側開口（23）は、上半分が開口している。第２回転ダンパ（72）の切欠き開口（77）は、左上に位置する姿勢となって第２左上部流路（47）に開口している。第２仕切板（24）の第２左上開口（28）は、連通状態となっている。この状態で、第１上部流路（41）へ流入した第２空気は、順に第１左側開口（23）、第２回転ダンパ（72）の内部、第２左上部流路（47）、第２左上開口（28）を通過し、第３左上部流路（55）へ流入する。
【０１２６】
第４左側開口（33）は、上半分が開口している。第４回転ダンパ（74）の切欠き開口（77）は、左下に位置する姿勢となって第４左下部流路（68）に開口している。第３仕切板（34）の第３左下開口（39）は、連通状態となっている。この状態で、第５上部流路（61）へ流入した第１空気は、順に第４左側開口（33）、第４回転ダンパ（74）の内部、第４左下部流路（68）、第３左下開口（39）を通過し、第３左下部流路（56）へ流入する。
【０１２７】
第１動作から第２動作へ切り換わる際には、第１吸着素子（81）及び第２吸着素子（82）が９０°だけ回転する（図４（ｂ）を参照）。そして、図４（ｃ）にも示すように、第２吸着素子（82）は、その調湿側通路（85）が第３左下部流路（56）及び第３中央上部流路（53）と連通し、その冷却側通路（86）が第３左上部流路（55）及び第３中央下部流路（54）と連通する状態となる。また、第１吸着素子（81）は、その調湿側通路（85）が第３中央下部流路（54）及び第３右上部流路（51）と連通し、その冷却側通路（86）が第３中央上部流路（53）及び第３右下部流路（52）と連通する状態となる。
【０１２８】
この状態において、第１空気は、吸着空気として第３左下部流路（56）から第２吸着素子（82）の調湿側通路（85）へ流入する。この調湿側通路（85）を流れる間に、第１空気に含まれる水蒸気が吸着剤に吸着される。調湿側通路（85）で水分を奪われた第１空気は、第３中央上部流路（53）へ流入する。
【０１２９】
一方、第２空気は、第３左上部流路（55）から第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却空気として冷却側通路（86）を流れる。吸着熱を奪った第２空気は、第３中央下部流路（54）へ流入する。第３中央下部流路（54）を流れる間に、第２空気は再生熱交換器（92）を通過する。再生熱交換器（92）において、第２空気は、冷媒との熱交換を行い、冷媒の凝縮熱を吸熱する。
【０１３０】
第２吸着素子（82）及び再生熱交換器（92）で加熱された第２空気は、再生空気として第１吸着素子（81）の調湿側通路（85）へ導入される。この調湿側通路（85）では、第２空気によって吸着剤が加熱され、吸着剤から水蒸気が脱離する。つまり、吸着剤の再生が行われる。そして、吸着剤から脱離した水蒸気が第２空気に付与され、第２空気が加湿される。第１吸着素子（81）において加湿された第２空気は、第３右上部流路（51）へ流入する。
【０１３１】
第３仕切板（34）の第３右上開口（35）は、連通状態となっている。第３回転ダンパ（73）の切欠き開口（77）は、右上に位置する姿勢となって第４右上部流路（63）に開口している。第４右側開口（32）は、下半分が開口している。この状態で、第１吸着素子（81）で加湿された第２空気は、順に第３右上部流路（51）、第３右上開口（35）、第４右上部流路（63）、第３回転ダンパ（73）の内部、第４右側開口（32）を通過し、第５下部流路（62）へ流入する。
【０１３２】
第５下部流路（62）を流れる間に、第２空気は第２冷却熱交換器（94）を通過する。このとき、第２冷却熱交換器（94）において冷媒は流通していない。従って、第２空気は、単に第２冷却熱交換器（94）を通過するだけで、吸熱も放熱もしない。そして、加熱されて加湿された第２空気は、給気側出口（14）を通って室内へ供給される。
【０１３３】
第２仕切板（24）の第２中央開口（27）は、連通状態となっている。第１回転ダンパ（71）の切欠き開口（77）は、左上に位置する姿勢となって第２中央上部流路（45）に開口している。第１右側開口（22）は、下半分が開口している。この状態で、第２吸着素子（82）で水蒸気を奪われた第１空気は、順に第３中央上部流路（53）、第２中央開口（27）、第２中央上部流路（45）、第１回転ダンパ（71）の内部、第１右側開口（22）を通過し、第１下部流路（42）へ流入する。
【０１３４】
第１下部流路（42）を流れる間に、第１空気は第１冷却熱交換器（93）を通過する。第１冷却熱交換器（93）では、第１空気が冷媒と熱交換を行い、冷媒回路の冷媒が第１空気から吸熱して蒸発する。その後、第１空気は、排気側出口（16）を通って室外へ排出される。
【０１３５】
上述のように、第１動作中は第１吸着素子（81）についての吸着動作及び冷却動作と第２吸着素子（82）についての再生動作とが行われ、第２動作中は第１吸着素子（81）についての再生動作と第２吸着素子（82）についての吸着動作及び冷却動作とが行われる。その際、各吸着素子（81,82）の調湿側通路（85）で発生する吸着熱は、冷却側通路（86）を流れる第２空気に回収される。このため、吸着素子（81,82）が第２空気によって冷却され、吸着素子（81,82）の温度上昇が抑えられる。
【０１３６】
−実施形態１の効果−
この実施形態１では、第１空気を減湿する際に第１，第２吸着素子（81,82）の調湿側通路（85）において発生する吸着熱を、第２空気である室内空気（RA）と室外空気（OA）の混合空気（RA＋OA）で回収するようにしている。したがって、除湿運転時に室外の温度が高い場合であっても、室外空気（OA）よりも低温の空気（RA＋OA）を利用することにより、吸着素子（81,82）の温度上昇を抑えることができる。このため、従来の装置と比較して吸着性能の低下を抑えることが可能となり、吸着素子（81,82）に吸着できる水分の量を充分に確保することができる。
【０１３７】
また、加湿運転時において、極寒時に室外空気（OA）を加湿して室内に供給すると再生熱交換器（92）による加熱量が大きくなるのに対して、室内空気（RA）と室外空気（OA）の混合空気（RA＋OA）を加湿して室内に供給するようにしているので、その加熱量を抑えることができ、効率のよい運転を行うことができる。
【０１３８】
なお、上記実施形態１では、冷却空気として室内空気（RA）と室外空気（OA）の混合空気（RA＋OA）を用いる具体例を説明したが、除湿運転時の冷却空気としては、上述したように室内空気（RA）や調和空気（CA）を用いても、吸着素子（81,82）の冷却性能を高め、吸着性能の低下を防止できる。特に、冷却空気として調和空気（CA）を用いる場合は、室内空気（RA）よりもさらに温度の低い空気で吸着素子（81,82,250）を冷却できるため、冷却性能をさらに高め、吸着時に発生する吸着熱による吸着性能の低下を確実に防止できる。
【０１３９】
−実施形態１の変形例−
室内空気（RA）と室外空気（OA）の混合空気（RA＋OA）は、室内空気（RA）の温度と室外空気（OA）の温度に応じた所定の混合割合で室内空気（RA）と室外空気（OA）とを混合したものにすることができる。このように室内空気（RA）と室外空気（OA）の混合割合を変化させることにより、冷却性能を調整することができる。例えば、室外空気（OA）を冷却空気として用いるとともに、冷却空気を加熱して再生空気とする場合は、冷却空気の温度が低いと冷却性能を高めることができる反面、再生加熱のためにＣＯＰが低下する。これに対して、室内空気（RA）と室外空気（OA）の混合空気（RA＋OA）を用い、その混合割合を変化させると、冷却性能と再生効率のバランスをとることができる。
【０１４０】
また、冷却空気は、室内空気（RA）の温度と室内給気（SA）の温度に応じた所定の混合割合で室内空気（RA）と室外空気（OA）とを混合したものにしてもよい。このようにした場合でも、混合割合を室内空気（RA）と室外空気（OA）の温度差に基づいて設定した場合とほぼ同じ効果を奏することができる。
【０１４１】
また、冷却空気は、室内空気（RA）の湿度と室外空気（OA）の湿度に応じた所定の混合割合で室内空気（RA）と室外空気（OA）とを混合したものにしてもよい。このようにすると、冷却空気を加熱して再生空気とする場合に、再生側に高湿の空気を使うと再生能力が低下するのに対して、湿度を調整した空気で再生することが可能となるので、再生能力の低下を抑えることができる。
【０１４２】
【発明の実施の形態２】
本実施形態に係る空気調和装置は、２つの吸着素子（81,82）を備えてバッチ式の動作を行い、除湿運転と加湿運転とを切り換えて行うように構成されている。この点は、上記実施形態１と同様である。尚、本実施形態の空気調和装置は、除湿運転及び加湿運転に加えて、取り込んだ室外空気（OA）をそのまま室内へ供給する外気冷房運転を行うことも可能に構成されている。また、本実施形態の空気調和装置は、吸着素子（81,82）を固定したままで第１動作と第２動作の切換を行うように構成されている。
【０１４３】
図１０，図１２に示すように、上記空気調和装置は、やや扁平な直方体状のケーシング（10）を備えている。このケーシング（10）には、２つの吸着素子（81,82）と、１つの冷媒回路とが収納されている。これらの吸着素子（81,82）や冷媒回路は、上記実施形態１のものと同様に構成されている。
【０１４４】
図１０，図１２に示すように、上記ケーシング（10）において、最も手前側には室外側パネル（11）が設けられ、最も奥側には室内側パネル（12）が設けられている。室外側パネル（11）には、その右端寄りに給気側入口（13）が形成され、その左端寄りに排気側出口（16）が形成されている。一方、室内側パネル（12）には、その右上隅部に給気側出口（14）が形成され、その左下隅部に排気側入口（15）が形成されている。
【０１４５】
ケーシング（10）の内部には、手前側から奥側へ向かって順に、第１仕切部材（100）、第２仕切部材（120）、第３仕切部材（130）、及び第４仕切部材（140）が設けられている。ケーシング（10）の内部空間は、これらの第１〜第４仕切部材（100,…）によって、前後に仕切られている。
【０１４６】
室外側パネル（11）と第１仕切部材（100）の間の空間は、上側の第１上部流路（171）と下側の第１下部流路（172）とに区画されている。第１上部流路（171）は、排気側出口（16）によって室外空間と連通されている。この第１上部流路（171）には、排気ファン（96）と、第１冷却熱交換器（93）とが設置されている。第１下部流路（172）は、給気側入口（13）によって室外空間と連通されている。この第１下部流路（172）には、給気ファン（95）が設置されている。
【０１４７】
ただし、室外側パネル（11）と第１仕切部材（100）の間の空間のうち、左端よりの部分は、閉空間の機械室となっている。冷媒回路の圧縮機（91）は、この機械室に設置されている。
【０１４８】
上記第１仕切部材（100）は、第１右前仕切板（101）、第１左前仕切板（102）、第１右側仕切板（104）、第１左側仕切板（105）、及び第１上下仕切板（103）によって構成されている。
【０１４９】
第１右前仕切板（101）と第１左前仕切板（102）は、長辺がケーシング（10）の高さとほぼ等しく短辺がケーシング（10）の横幅の１／４程度の縦長の長方形状にそれぞれ形成されている。第１右前仕切板（101）は、室外側パネル（11）と平行な姿勢で、ケーシング（10）の右寄りに立設されている。第１左前仕切板（102）は、室外側パネル（11）と平行な姿勢で、ケーシング（10）の左寄りに立設されている。
【０１５０】
第１右側仕切板（104）と第１左側仕切板（105）は、長辺がケーシング（10）の高さとほぼ等しい縦長の長方形状にそれぞれ形成されている。第１右側仕切板（104）は、その手前側長辺が第１右前仕切板（101）の左側長辺と一致し、且つ第１右前仕切板（101）と直交する姿勢で立設されている。この第１右側仕切板（104）には、その上部に第１右上開口（111）が形成され、その下部に第１右下開口（112）が形成されている。第１左側仕切板（105）は、その手前側長辺が第１左前仕切板（102）の右側長辺と一致し、且つ第１左前仕切板（102）と直交する姿勢で立設されている。この第１左側仕切板（105）には、その上部に第１左上開口（114）が形成され、その下部に第１左下開口（115）が形成されている。
【０１５１】
第１上下仕切板（103）は、長辺がケーシング（10）の横幅とほぼ等しく短辺が第１右側仕切板（104）や第１左側仕切板（105）の短辺と等しい横長の長方形状に形成されている。この第１上下仕切板（103）は、第１右前仕切板（101）、第１左前仕切板（102）、第１右側仕切板（104）、及び第１左側仕切板（105）のそれぞれと直交する姿勢で設置されている。また、第１上下仕切板（103）は、ケーシング（10）の高さの中央に配置されている。更に、第１上下仕切板（103）には、第１右側仕切板（104）よりも右側の部分に第１右上下開口（113）が形成され、第１左側仕切板（105）よりも左側の部分に第１左上下開口（116）が形成されている。
【０１５２】
上記第１仕切部材（100）によって、ケーシング（10）内には、第２右上部流路（173）、第２右下部流路（174）、第２中央上部流路（175）、第２中央下部流路（176）、第２左上部流路（177）、及び第２左下部流路（178）が区画形成されている。具体的に、第１右側仕切板（104）の右側では、第１上下仕切板（103）の上側に第２右上部流路（173）が形成され、その下側に第２右下部流路（174）が形成されている。第１右側仕切板（104）と第１左側仕切板（105）の間では、第１上下仕切板（103）の上側に第２中央上部流路（175）が形成され、その下側に第２中央下部流路（176）が形成されている。第１左側仕切板（105）の左側では、第１上下仕切板（103）の上側に第２左上部流路（177）が形成され、その下側に第２左下部流路（178）が形成されている。
【０１５３】
第２右上部流路（173）と第２中央上部流路（175）とは、第１右上開口（111）により連通可能となっている。第２右下部流路（174）と第２中央下部流路（176）とは、第１右下開口（112）により連通可能となっている。第２右上部流路（173）と第２右下部流路（174）とは、第１右上下開口（113）により連通可能となっている。これらの開口（111,112,113）は、切換機構である開閉シャッタによって、それぞれが開閉される。
【０１５４】
第２左上部流路（177）と第２中央上部流路（175）とは、第１左上開口（114）により連通可能となっている。第２左下部流路（178）と第２中央下部流路（176）とは、第１左下開口（115）により連通可能となっている。第２左上部流路（177）と第２左下部流路（178）とは、第１左上下開口（116）により連通可能となっている。これらの開口（114,115,116）は、切換機構である開閉シャッタによって、それぞれが開閉される。
【０１５５】
第２中央上部流路（175）と第１上部流路（171）の間、及び第２中央下部流路（176）と第１下部流路（172）の間は、何れも第１仕切部材（100）によって仕切られていない。従って、第２中央上部流路（175）は第１上部流路（171）と常に連通状態となり、第２中央下部流路（176）は第１下部流路（172）と常に連通状態となっている。
【０１５６】
第２仕切部材（120）と第３仕切部材（130）の間には、２つの吸着素子（81,82）が左右に並んで設置されている。具体的には、右寄りに第１吸着素子（81）が設けられ、左寄りに第２吸着素子（82）が設けられている。これら吸着素子（81,82）は、それぞれの長手方向がケーシング（10）の長手方向と一致する姿勢で、平行に配置されている。また、図１１にも示すように、これら吸着素子（81,82）は、その端面が正方形を４５°回転させた菱形をなす姿勢で設置されている。つまり、各吸着素子（81,82）は、その端面における対角線の一方が互いに一直線上に並ぶような姿勢で設置されている。
【０１５７】
更に、第２仕切部材（120）と第３仕切部材（130）の間には、冷媒回路の再生熱交換器（92）と、切換シャッタ（160）とが設置されている。再生熱交換器（92）は、平板状に形成されている。再生熱交換器（92）の前後長は、吸着素子（81,82）の前後長と概ね等しくなっている。この再生熱交換器（92）は、第１吸着素子（81）と第２吸着素子（82）の間に概ね水平姿勢で設置されている。また、再生熱交換器（92）は、各吸着素子（81,82）における端面の中心を互いに結んだ直線上に配置されている。この再生熱交換器（92）では、上下方向に空気が貫流する。
【０１５８】
切換シャッタ（160）は、シャッタ板（162）と一対の側板（161）とを備え、切換機構を構成している。各側板（161）は、何れも半円板状に形成されている。各側板（161）の直径は、再生熱交換器（92）の左右幅とほぼ同じとなっている。この側板（161）は、再生熱交換器（92）における手前側と奥側の端面に沿って１つずつ設けられている。一方、シャッタ板（162）は、一方の側板（161）から他方の側板（161）に亘って延長され、各側板（161）の周縁に沿って湾曲する曲面板状に形成されている。このシャッタ板（162）は、その曲面の中心角が９０°となっており、再生熱交換器（92）の左右方向の半分を覆っている。また、シャッタ板（162）は、側板（161）の周縁に沿って移動するように構成されている。そして、切換シャッタ（160）は、シャッタ板（162）が再生熱交換器（92）の右半分を覆う状態（図１１（ａ）を参照）と、シャッタ板（162）が再生熱交換器（92）の左半分を覆う状態（図１１（ｂ）を参照）とに切り換わる。
【０１５９】
第２仕切部材（120）と第３仕切部材（130）の間は、上下に区画されると同時に、上下の各空間が第１，第２吸着素子（81,82）や切換シャッタ（160）によって左右に仕切られている。具体的に、第１吸着素子（81）の右側には、上側の第３右上部流路（181）と下側の第３右下部流路（182）とが区画形成されている。第１吸着素子（81）と第２吸着素子（82）の間の上側では、切換シャッタ（160）の右側の第３中央右上部流路（183）と、切換シャッタ（160）の左側の第３中央左上部流路（184）とが区画形成されている。第１吸着素子（81）と第２吸着素子（82）の間の下側では、第３中央下部流路（185）が区画形成されている。第２吸着素子（82）の左側には、上側の第３左上部流路（186）と下側の第３左下部流路（187）とが区画形成されている。
【０１６０】
上述のように、各吸着素子（81,82）には、調湿側通路（85）及び冷却側通路（86）が形成されている。そして、第１吸着素子（81）は、その調湿側通路（85）が第３中央右上部流路（183）及び第３右下部流路（182）と連通し、その冷却側通路（86）が第３右上部流路（181）及び第３中央下部流路（185）と連通する姿勢で設置されている。一方、第２吸着素子（82）は、その調湿側通路（85）が第３中央左上部流路（184）及び第３左下部流路（187）と連通し、その冷却側通路（86）が第３左上部流路（186）及び第３中央下部流路（185）と連通する姿勢で設置されている。
【０１６１】
上記第２仕切部材（120）には、６つの開口が形成されている。その右上隅部に開口する第２右上開口（121）は、第２右上部流路（173）と第３右上部流路（181）とを連通させている。その右下隅部に開口する第２右下開口（122）は、第２右下部流路（174）と第３右下部流路（182）とを連通させている。その中央上部の右寄りに開口する第２中央右開口（123）は、第２中央上部流路（175）と第３中央右上部流路（183）とを連通させている。その中央上部の左寄りに開口する第２中央左開口（124）は、第２中央上部流路（175）と第３中央左上部流路（184）とを連通させている。その左上隅部に開口する第２左上開口（125）は、第２左上部流路（177）と第３左上部流路（186）とを連通させている。その左下隅部に開口する第２左下開口（126）は、第２左下部流路（178）と第３左下部流路（187）とを連通させている。これらの開口（121,…）は、切換機構である開閉シャッタによって、それぞれが開閉される。
【０１６２】
上記第４仕切部材（140）は、第４右後仕切板（141）、第４左後仕切板（142）、第４右側仕切板（144）、第４左側仕切板（145）、及び第４上下仕切板（143）によって構成されている。
【０１６３】
第４右後仕切板（141）と第４左後仕切板（142）は、長辺がケーシング（10）の高さとほぼ等しく短辺がケーシング（10）の横幅の１／４程度の縦長の長方形状にそれぞれ形成されている。第４右後仕切板（141）は、室内側パネル（12）と平行な姿勢で、ケーシング（10）の右寄りに立設されている。第４左後仕切板（142）は、室内側パネル（12）と平行な姿勢で、ケーシング（10）の左寄りに立設されている。
【０１６４】
第４右側仕切板（144）と第４左側仕切板（145）は、長辺がケーシング（10）の高さとほぼ等しい縦長の長方形状にそれぞれ形成されている。第４右側仕切板（144）は、その奥側長辺が第４右後仕切板（141）の左側長辺と一致し、且つ第４右後仕切板（141）と直交する姿勢で立設されている。この第４右側仕切板（144）には、その上部に第４右上開口（151）が形成され、その下部に第４右下開口（152）が形成されている。第４左側仕切板（145）は、その奥側長辺が第４左後仕切板（142）の右側長辺と一致し、且つ第４左後仕切板（142）と直交する姿勢で立設されている。この第４左側仕切板（145）には、その上部に第４左上開口（154）が形成され、その下部に第４左下開口（155）が形成されている。
【０１６５】
第４上下仕切板（143）は、長辺がケーシング（10）の横幅とほぼ等しく短辺が第４右側仕切板（144）や第４左側仕切板（145）の短辺と等しい横長の長方形状に形成されている。この第４上下仕切板（143）は、第４右後仕切板（141）、第４左後仕切板（142）、第４右側仕切板（144）、及び第４左側仕切板（145）のそれぞれと直交する姿勢で設置されている。また、第４上下仕切板（143）は、ケーシング（10）の高さの中央に配置されている。更に、第４上下仕切板（143）には、第４右側仕切板（144）よりも右側の部分に第４右上下開口（153）が形成され、第４左側仕切板（145）よりも左側の部分に第４左上下開口（156）が形成されている。
【０１６６】
上記第４仕切部材（140）によって、ケーシング（10）内には、第４右上部流路（193）、第４右下部流路（194）、第４中央上部流路（195）、第４中央下部流路（196）、第４左上部流路（197）、及び第４左下部流路（198）が区画形成されている。具体的に、第４右側仕切板（144）の右側では、第４上下仕切板（143）の上側に第４右上部流路（193）が形成され、その下側に第４右下部流路（194）が形成されている。第４右側仕切板（144）と第４左側仕切板（145）の間では、第４上下仕切板（143）の上側に第４中央上部流路（195）が形成され、その下側に第４中央下部流路（196）が形成されている。第４左側仕切板（145）の左側では、第４上下仕切板（143）の上側に第４左上部流路（197）が形成され、その下側に第４左下部流路（198）が形成されている。
【０１６７】
第４右上部流路（193）と第４中央上部流路（195）とは、第４右上開口（151）により連通可能となっている。第４右下部流路（194）と第４中央下部流路（196）とは、第４右下開口（152）により連通可能となっている。第４右上部流路（193）と第４右下部流路（194）とは、第４右上下開口（153）により連通可能となっている。これらの開口（151,152,153）は、切換機構である開閉シャッタによって、それぞれが開閉される。
【０１６８】
第４左上部流路（197）と第４中央上部流路（195）とは、第４左上開口（154）により連通可能となっている。第４左下部流路（198）と第４中央下部流路（196）とは、第４左下開口（155）により連通可能となっている。第４左上部流路（197）と第４左下部流路（198）とは、第４左上下開口（156）により連通可能となっている。これらの開口（154,155,156）は、切換機構である開閉シャッタによって、それぞれが開閉される。
【０１６９】
上記第３仕切板には、６つの開口が形成されている。その右上隅部に開口する第３右上開口（131）は、第３右上部流路（181）と第４右上部流路（193）とを連通させている。その右下隅部に開口する第３右下開口（132）は、第３右下部流路（182）と第４右下部流路（194）とを連通させている。その中央上部の右寄りに開口する第３中央右開口（133）は、第３中央右上部流路（183）と第４中央上部流路（195）とを連通させている。その中央上部の左寄りに開口する第３中央左開口（134）は、第３中央左上部流路（184）と第４中央上部流路（195）とを連通させている。その左上隅部に開口する第３左上開口（135）は、第３左上部流路（186）と第４左上部流路（197）とを連通させている。その左下隅部に開口する第３左下開口（136）は、第３左下部流路（187）と第４左下部流路（198）とを連通させている。これらの開口（151,…）は、切換機構である開閉シャッタによって、それぞれが開閉される。
【０１７０】
室内側パネル（12）と第４仕切部材（140）の間の空間は、上側の第５上部流路（191）と下側の第５下部流路（192）とに区画されている。第５上部流路（191）は、給気側出口（14）によって室内空間と連通されている。この第５上部流路（191）には、第２冷却熱交換器（94）が設置されている。一方、第５下部流路（192）は、排気側入口（15）によって室内空間と連通されている。
【０１７１】
−運転動作−
上記空気調和装置の運転動作について、図１１〜図１７を参照しながら説明する。上述したように、この空気調和装置は、除湿運転と加湿運転と外気冷房運転とを切り換えて行う。尚、外気冷房運転は、中間期のように外気温の方が内気温よりも低くなるような場合に行われる。
【０１７２】
《除湿運転》
この実施形態２においても、除湿運転時には、室外空気（OA）を減湿して室内に供給する一方、室外空気（OA）を減湿する際に吸着素子（81,82）で発生する吸着熱を、室内空気（RA）と室外空気（OA）の混合空気（RA＋OA）で回収するようにしている。
【０１７３】
図１２，図１３に示すように、除湿運転時において、給気ファン（95）を駆動すると、室外空気（OA）が給気側入口（13）を通じてケーシング（10）内に取り込まれる。この室外空気（OA）は、吸着空気を構成する第１空気として第１下部流路（172）へ流入する。一方、排気ファン（96）を駆動すると、室内空気（RA）と室外空気（OA）の混合空気（RA＋OA）が排気側入口（15）を通じてケーシング（10）内に取り込まれる。この混合空気（RA＋OA）は、冷却空気及び再生空気を構成する第２空気として第５下部流路（192）へ流入する。
【０１７４】
また、除湿運転において、冷媒回路では、再生熱交換器（92）を凝縮器とし、第２冷却熱交換器（94）を蒸発器として冷凍サイクルが行われる。つまり、除湿運転において、第１冷却熱交換器（93）では冷媒が流通しない。そして、上記空気調和装置は、第１動作と第２動作とを交互に繰り返すことによって除湿運転を行う。
【０１７５】
除湿運転の第１動作について、図１１，図１２を参照しながら説明する。この第１動作では、第１吸着素子（81）についての吸着動作及び冷却動作と、第２吸着素子（82）についての再生動作とが行われる。つまり、第１動作では、第１吸着素子（81）で空気が減湿されると同時に、第２吸着素子（82）の吸着剤が再生される。
【０１７６】
図１２に示すように、第１仕切部材（100）では、第１右下開口（112）と第１左上開口（114）と第１左上下開口（116）とが連通状態となり、残りの開口（111,113,115）が遮断状態となっている。この状態では、第１右下開口（112）によって第２中央下部流路（176）と第２右下部流路（174）が連通され、第１左上開口（114）によって第２左上部流路（177）と第２中央上部流路（175）が連通され、第１左上下開口（116）によって第２左上部流路（177）と第２左下部流路（178）が連通される。
【０１７７】
第２仕切部材（120）では、第２右下開口（122）と第２左下開口（126）とが連通状態となり、残りの開口（121,123,124,125）が遮断状態となっている。この状態では、第２右下開口（122）によって第２右下部流路（174）と第３右下部流路（182）が連通され、第２左下開口（126）によって第２左下部流路（178）と第３左下部流路（187）が連通される。
【０１７８】
切換シャッタ（160）では、シャッタ板（162）が再生熱交換器（92）の右半分を覆う位置へ移動している。この状態では、第３中央下部流路（185）と第３中央左上部流路（184）とが再生熱交換器（92）を介して連通される。
【０１７９】
第３仕切部材（130）では、第３右上開口（131）と第３中央右開口（133）とが連通状態となり、残りの開口（132,134,135,136）が遮断状態となっている。この状態では、第３右上開口（131）によって第３右上部流路（181）と第４右上部流路（193）が連通され、第３中央右開口（133）によって第３中央右上部流路（183）と第４中央上部流路（195）が連通される。
【０１８０】
第４仕切部材（140）では、第４右下開口（152）と第４右上下開口（153）とが連通状態となり、残りの開口（151,154,155,156）が遮断状態となっている。この状態では、第４右下開口（152）によって第４中央下部流路（196）と第４右下部流路（194）が連通され、第４右上下開口（153）によって第４右下部流路（194）と第４右上部流路（193）が連通される。
【０１８１】
ケーシング（10）に取り込まれた第１空気は、第１下部流路（172）、第２中央下部流路（176）、第２右下部流路（174）を順に流れ、第２右下開口（122）を通って第３右下部流路（182）へ流入する。一方、ケーシング（10）に取り込まれた第２空気は、第５下部流路（192）、第４中央下部流路（196）、第４右下部流路（194）、第４右上部流路（193）を順に流れ、第３右上開口（131）を通って第３右上部流路（181）へ流入する。
【０１８２】
図１１（ａ）にも示すように、第３右下部流路（182）の第１空気は、吸着空気として第１吸着素子（81）の調湿側通路（85）へ流入する。この調湿側通路（85）を流れる間に、第１空気に含まれる水蒸気が吸着剤に吸着される。第１吸着素子（81）で減湿された第１空気は、第３中央右上部流路（183）へ流入する。
【０１８３】
一方、第３右上部流路（181）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却空気として冷却側通路（86）を流れる。吸着熱を奪った第２空気は、第３中央下部流路（185）へ流入する。第３中央下部流路（185）の第２空気は、再生熱交換器（92）を通過して第３中央左上部流路（184）へ流入する。その際、再生熱交換器（92）では、第２空気が冷媒との熱交換を行って冷媒の凝縮熱を吸熱する。
【０１８４】
第１吸着素子（81）及び再生熱交換器（92）で加熱された第２空気は、再生空気として第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。吸着剤から脱離した水蒸気は、第２空気と共に第３左下部流路（187）へ流入する。
【０１８５】
図１２に示すように、第３中央右上部流路（183）へ流入した減湿後の第１空気は、第３中央右開口（133）を通って第４中央上部流路（195）へ流入し、その後に第５上部流路（191）へ送り込まれる。第５上部流路（191）を流れる間に、第１空気は第２冷却熱交換器（94）を通過する。第２冷却熱交換器（94）において、第１空気は、冷媒との熱交換を行い、冷媒に対して放熱する。そして、減湿されて冷却された第１空気は、給気側出口（14）を通って室内へ供給される。
【０１８６】
一方、第３左下部流路（187）へ流入した第２空気は、第２左下部流路（178）、第２左上部流路（177）、第２中央上部流路（175）を順に流れ、その後に第１上部流路（171）へ流入する。第１上部流路（171）を流れる間に、第２空気は第１冷却熱交換器（93）を通過する。このとき、第１冷却熱交換器（93）において冷媒は流通していない。従って、第２空気は、単に第１冷却熱交換器（93）を通過するだけで、吸熱も放熱もしない。そして、第１吸着素子（81）の冷却と第２吸着素子（82）の再生に利用された第２空気は、排気側出口（16）を通って室外へ排出される。
【０１８７】
除湿運転の第２動作について、図１１，図１３を参照しながら説明する。この第２動作では、第１動作時とは逆に、第２吸着素子（82）で空気が減湿されると同時に、第１吸着素子（81）の吸着剤が再生される。
【０１８８】
図１３に示すように、第１仕切部材（100）では、第１右上開口（111）と第１右上下開口（113）と第１左下開口（115）とが連通状態となり、残りの開口（112,114,116）が遮断状態となっている。この状態では、第１右上開口（111）によって第２中央上部流路（175）と第２右上部流路（173）が連通され、第１右上下開口（113）によって第２右上部流路（173）と第２右下部流路（174）が連通され、第１左下開口（115）によって第２左下部流路（178）と第２中央下部流路（176）が連通される。
【０１８９】
第２仕切部材（120）では、第２右下開口（122）と第２左下開口（126）とが連通状態となり、残りの開口（121,123,124,125）が遮断状態となっている。この状態では、第２右下開口（122）によって第２右下部流路（174）と第３右下部流路（182）が連通され、第２左下開口（126）によって第２左下部流路（178）と第３左下部流路（187）が連通される。
【０１９０】
切換シャッタ（160）では、シャッタ板（162）が再生熱交換器（92）の左半分を覆う位置へ移動している。この状態では、第３中央下部流路（185）と第３中央右上部流路（183）とが再生熱交換器（92）を介して連通される。
【０１９１】
第３仕切部材（130）では、第３左上開口（135）と第３中央左開口（134）とが連通状態となり、残りの開口（131,132,133,136）が遮断状態となっている。この状態では第３左上開口（135）によって第３左上部流路（186）と第４左上部流路（197）が連通され、第３中央左開口（134）によって第３中央左上部流路（184）と第４中央上部流路（195）が連通される。
【０１９２】
第４仕切部材（140）では、第４左下開口（155）と第４左上下開口（156）とが連通状態となり、残りの開口（151,152,153,154）が遮断状態となっている。この状態では、第４左下開口（155）によって第４中央下部流路（196）と第４左下部流路（198）が連通され、第４左上下開口（156）によって第４左下部流路（198）と第４左上部流路（197）が連通される。
【０１９３】
ケーシング（10）に取り込まれた第１空気は、第１下部流路（172）、第２中央下部流路（176）、第２左下部流路（178）を順に流れ、第２左下開口（126）を通って第３左下部流路（187）へ流入する。一方、ケーシング（10）に取り込まれた第２空気は、第５下部流路（192）、第４中央下部流路（196）、第４左下部流路（198）、第４左上部流路（197）を順に流れ、第３左上開口（135）を通って第３左上部流路（186）へ流入する。
【０１９４】
図１１（ｂ）にも示すように、第３左下部流路（187）の第１空気は、吸着空気として第２吸着素子（82）の調湿側通路（85）へ流入する。この調湿側通路（85）を流れる間に、第１空気に含まれる水蒸気が吸着剤に吸着される。第２吸着素子（82）で減湿された第１空気は、第３中央左上部流路（184）へ流入する。
【０１９５】
一方、第３左上部流路（186）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却空気として冷却側通路（86）を流れる。吸着熱を奪った第２空気は、第３中央下部流路（185）へ流入する。第３中央下部流路（185）の第２空気は、再生熱交換器（92）を通過して第３中央右上部流路（183）へ流入する。その際、再生熱交換器（92）では、第２空気が冷媒との熱交換を行って冷媒の凝縮熱を吸熱する。
【０１９６】
第２吸着素子（82）及び再生熱交換器（92）で加熱された第２空気は、再生空気として第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。吸着剤から脱離した水蒸気は、第２空気と共に第３右下部流路（182）へ流入する。
【０１９７】
図１３に示すように、第３中央左上部流路（184）へ流入した減湿後の第１空気は、第３中央左開口（134）を通って第４中央上部流路（195）へ流入し、その後に第５上部流路（191）へ送り込まれる。第５上部流路（191）を流れる間に、第１空気は第２冷却熱交換器（94）を通過する。第２冷却熱交換器（94）において、第１空気は、冷媒との熱交換を行い、冷媒に対して放熱する。そして、減湿されて冷却された第１空気は、給気側出口（14）を通って室内へ供給される。
【０１９８】
一方、第３右下部流路（182）へ流入した第２空気は、第２右下部流路（174）、第２右上部流路（173）、第２中央上部流路（175）を順に流れ、その後に第１上部流路（171）へ流入する。第１上部流路（171）を流れる間に、第２空気は第１冷却熱交換器（93）を通過する。このとき、第１冷却熱交換器（93）において冷媒は流通していない。従って、第２空気は、単に第１冷却熱交換器（93）を通過するだけで、吸熱も放熱もしない。そして、第１吸着素子（81）の冷却と第２吸着素子（82）の再生に利用された第２空気は、排気側出口（16）を通って室外へ排出される。
【０１９９】
上述のように、第１動作中は第１吸着素子（81）についての吸着動作及び冷却動作と第２吸着素子（82）についての再生動作とが行われ、第２動作中は第１吸着素子（81）についての再生動作と第２吸着素子（82）についての吸着動作及び冷却動作とが行われる。その際、各吸着素子（81,82）の調湿側通路（85）で発生する吸着熱は、冷却側通路（86）を流れる第２空気に回収される。このため、吸着素子が第２空気によって冷却され、吸着素子（81,82）の温度上昇が抑えられる。
【０２００】
《加湿運転》
図１４，図１５に示すように、加湿運転時において、給気ファン（95）を駆動すると、室内空気（RA）と室外空気（OA）の混合空気（RA＋OA）が給気側入口（13）を通じてケーシング（10）内に取り込まれる。この混合空気（RA＋OA）は、冷却空気及び再生空気を構成する第２空気として第１下部流路（172）へ流入する。一方、排気ファン（96）を駆動すると、室内空気（RA）が排気側入口（15）を通じてケーシング（10）内に取り込まれる。この室内空気（RA）は、吸着空気を構成する第１空気として第５下部流路（192）へ流入する。
【０２０１】
また、加湿運転において、冷媒回路では、再生熱交換器（92）を凝縮器とし、第１冷却熱交換器（93）を蒸発器として冷凍サイクルが行われる。つまり、加湿運転において、第２冷却熱交換器（94）では冷媒が流通しない。そして、上記空気調和装置は、第１動作と第２動作とを交互に繰り返すことによって加湿運転を行う。
【０２０２】
加湿運転の第１動作について、図１１，図１４を参照しながら説明する。この第１動作では、第１吸着素子（81）についての吸着動作及び冷却動作と、第２吸着素子（82）についての再生動作とが行われる。つまり、第１動作では、第２吸着素子（82）で空気が加湿され、第１吸着素子（81）の吸着剤が水蒸気を吸着する。
【０２０３】
図１４に示すように、第１仕切部材（100）では、第１右下開口（112）と第１右上下開口（113）とが連通状態となり、残りの開口（111,114,115,116）が遮断状態となっている。この状態では、第１右下開口（112）によって第２中央下部流路（176）と第２右下部流路（174）が連通され、第１右上下開口（113）によって第２右上部流路（173）と第２右下部流路（174）が連通される。
【０２０４】
第２仕切部材（120）では、第２右上開口（121）と第２中央右開口（123）とが連通状態となり、残りの開口（122,124,125,126）が遮断状態となっている。この状態では、第２右上開口（121）によって第２右上部流路（173）と第３右上部流路（181）が連通され、第２中央右開口（123）によって第２中央上部流路（175）と第３中央右上部流路（183）が連通される。
【０２０５】
切換シャッタ（160）では、シャッタ板（162）が再生熱交換器（92）の右半分を覆う位置へ移動している。この状態では、第３中央下部流路（185）と第３中央左上部流路（184）とが再生熱交換器（92）を介して連通される。
【０２０６】
第３仕切部材（130）では、第３右下開口（132）と第３左下開口（136）とが連通状態となり、残りの開口（131,133,134,135）が遮断状態となっている。この状態では、第３右下開口（132）によって第３右下部流路（182）と第４右下部流路（194）が連通され、第３左下開口（136）によって第３左下部流路（187）と第４左下部流路（198）が連通される。
【０２０７】
第４仕切部材（140）では、第４右下開口（152）と第４左上開口（154）と第４左上下開口（156）とが連通状態となり、残りの開口（151,153,155）が遮断状態となっている。この状態では、第４右下開口（152）によって第４中央下部流路（196）と第４右下部流路（194）が連通され、第４左上開口（154）によって第４中央上部流路（195）と第４左上部流路（197）が連通され、第４左上下開口（156）によって第４左下部流路（198）と第４左上部流路（197）が連通される。
【０２０８】
ケーシング（10）に取り込まれた第１空気は、第５下部流路（192）、第４中央下部流路（196）、第４右下部流路（194）を順に流れ、第３右下開口（132）を通って第３右下部流路（182）へ流入する。一方、ケーシング（10）に取り込まれた第２空気は、第１下部流路（172）、第２中央下部流路（176）、第２右下部流路（174）、第２右上部流路（173）を順に流れ、第２右上開口（121）を通って第３右上部流路（181）へ流入する。
【０２０９】
図１１（ａ）にも示すように、第３右下部流路（182）の第１空気は、吸着空気として第１吸着素子（81）の調湿側通路（85）へ流入する。この調湿側通路（85）を流れる間に、第１空気に含まれる水蒸気が吸着剤に吸着される。第１吸着素子（81）で水分を奪われた第１空気は、第３中央右上部流路（183）へ流入する。
【０２１０】
一方、第３右上部流路（181）の第２空気は、第１吸着素子（81）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却空気として冷却側通路（86）を流れる。吸着熱を奪った第２空気は、第３中央下部流路（185）へ流入する。第３中央下部流路（185）の第２空気は、再生熱交換器（92）を通過して第３中央左上部流路（184）へ流入する。その際、再生熱交換器（92）では、第２空気が冷媒との熱交換を行って冷媒の凝縮熱を吸熱する。
【０２１１】
第１吸着素子（81）及び再生熱交換器（92）で加熱された第２空気は、再生空気として第２吸着素子（82）の調湿側通路（85）へ導入される。この調湿側通路（85）では、第２空気によって吸着剤が加熱され、吸着剤から水蒸気が脱離する。つまり、第２吸着素子（82）の再生が行われる。そして、吸着剤から脱離した水蒸気が第２空気に付与され、第２空気が加湿される。第２吸着素子（82）で加湿された第２空気は、その後に第３左下部流路（187）へ流入する。
【０２１２】
図１４に示すように、第３左下部流路（187）へ流入した加湿後の第２空気は、第４左下部流路（198）、第４左上部流路（197）、第４中央上部流路（195）を順に流れ、その後に第５上部流路（191）へ流入する。第５上部流路（191）を流れる間に、第２空気は第２冷却熱交換器（94）を通過する。このとき、第２冷却熱交換器（94）において冷媒は流通していない。従って、第２空気は、単に第２冷却熱交換器（94）を通過するだけで、吸熱も放熱もしない。そして、加熱されて加湿された第２空気は、給気側出口（14）を通って室内へ供給される。
【０２１３】
一方、水分を奪われて第３中央右上部流路（183）へ流入した第１空気は、第２中央上部流路（175）を通って第１上部流路（171）へ流入する。第１上部流路（171）を流れる間に、第１空気は第１冷却熱交換器（93）を通過する。第１冷却熱交換器（93）において、第１空気は、冷媒との熱交換を行い、冷媒に対して放熱する。そして、水分と熱を奪われた第１空気は、排気側出口（16）を通って室外へ排出される。
【０２１４】
加湿運転の第２動作について、図１１，図１５を参照しながら説明する。この第２動作では、第２吸着素子（82）についての吸着動作及び冷却動作と、第１吸着素子（81）についての再生動作とが行われる。つまり、第２動作では、第１吸着素子（81）で空気が加湿され、第２吸着素子（82）の吸着剤が水蒸気を吸着する。
【０２１５】
図１５に示すように、第１仕切部材（100）では、第１左下開口（115）と第１左上下開口（116）とが連通状態となり、残りの開口（111,112,113,114）が遮断状態となっている。この状態では、第１左下開口（115）によって第２中央下部流路（176）と第２左下部流路（178）が連通され、第１左上下開口（116）によって第２左上部流路（177）と第２左下部流路（178）が連通される。
【０２１６】
第２仕切部材（120）では、第２左上開口（125）と第２中央左開口（124）とが連通状態となり、残りの開口（121,122,123,126）が遮断状態となっている。この状態では、第２左上開口（125）によって第２左上部流路（177）と第３左上部流路（186）が連通され、第２中央左開口（124）によって第２中央上部流路（175）と第３中央左上部流路（184）が連通される。
【０２１７】
切換シャッタ（160）では、シャッタ板（162）が再生熱交換器（92）の左半分を覆う位置へ移動している。この状態では、第３中央下部流路（185）と第３中央右上部流路（183）とが再生熱交換器（92）を介して連通される。
【０２１８】
第３仕切部材（130）では、第３右下開口（132）と第３左下開口（136）とが連通状態となり、残りの開口（131,133,134,135）が遮断状態となっている。この状態では、第３右下開口（132）によって第３右下部流路（182）と第４右下部流路（194）が連通され、第３左下開口（136）によって第３左下部流路（187）と第４左下部流路（198）が連通される。
【０２１９】
第４仕切部材（140）では、第４右上開口（151）と第４右上下開口（153）と第４左下開口（155）とが連通状態となり、残りの開口（152,154,156）が遮断状態となっている。この状態では、第４右上開口（151）によって第４右上部流路（193）と第４中央上部流路（195）が連通され、第４右上下開口（153）によって第４右下部流路（194）と第４右上部流路（193）が連通され、第４左下開口（155）によって第４中央下部流路（196）と第４左下部流路（198）が連通される。
【０２２０】
ケーシング（10）に取り込まれた第１空気は、第５下部流路（192）、第４中央下部流路（196）、第４左下部流路（198）を順に流れ、第３左下開口（136）を通って第３左下部流路（187）へ流入する。一方、ケーシング（10）に取り込まれた第２空気は、第１下部流路（172）、第２中央下部流路（176）、第２左下部流路（178）、第２左上部流路（177）を順に流れ、第２左上開口（125）を通って第３左上部流路（186）へ流入する。
【０２２１】
図１１（ｂ）にも示すように、第３左下部流路（187）の第１空気は、吸着空気として第２吸着素子（82）の調湿側通路（85）へ流入する。この調湿側通路（85）を流れる間に、第１空気に含まれる水蒸気が吸着剤に吸着される。第２吸着素子（82）で水分を奪われた第１空気は、第３中央左上部流路（184）へ流入する。
【０２２２】
一方、第３左上部流路（186）の第２空気は、第２吸着素子（82）の冷却側通路（86）へ流入する。この冷却側通路（86）を流れる間に、第２空気は、調湿側通路（85）で水蒸気が吸着剤に吸着される際に生じた吸着熱を吸熱する。つまり、第２空気は、冷却空気として冷却側通路（86）を流れる。吸着熱を奪った第２空気は、第３中央下部流路（185）へ流入する。第３中央下部流路（185）の第２空気は、再生熱交換器（92）を通過して第３中央右上部流路（183）へ流入する。その際、再生熱交換器（92）では、第２空気が冷媒との熱交換を行って冷媒の凝縮熱を吸熱する。
【０２２３】
第２吸着素子（82）及び再生熱交換器（92）で加熱された第２空気は、再生空気として第１吸着素子（81）の調湿側通路（85）へ導入される。この調湿側通路（85）では、第２空気によって吸着剤が加熱され、吸着剤から水蒸気が脱離する。つまり、第１吸着素子（81）の再生が行われる。そして、吸着剤から脱離した水蒸気が第２空気に付与され、第２空気が加湿される。第１吸着素子（81）で加湿された第２空気は、その後に第３右下部流路（182）へ流入する。
【０２２４】
図１５に示すように、第３右下部流路（182）へ流入した加湿後の第２空気は、第４右下部流路（194）、第４右上部流路（193）、第４中央上部流路（195）を順に流れ、その後に第５上部流路（191）へ流入する。第５上部流路（191）を流れる間に、第２空気は第２冷却熱交換器（94）を通過する。このとき、第２冷却熱交換器（94）において冷媒は流通していない。従って、第２空気は、単に第２冷却熱交換器（94）を通過するだけで、吸熱も放熱もしない。そして、加熱されて加湿された第２空気は、給気側出口（14）を通って室内へ供給される。
【０２２５】
一方、水分を奪われて第３中央左上部流路（184）へ流入した第１空気は、第２中央上部流路（175）を通って第１上部流路（171）へ流入する。第１上部流路（171）を流れる間に、第１空気は第１冷却熱交換器（93）を通過する。第１冷却熱交換器（93）において、第１空気は、冷媒との熱交換を行い、冷媒に対して放熱する。そして、水分と熱を奪われた第１空気は、排気側出口（16）を通って室外へ排出される。
【０２２６】
上述のように、第１動作中は第１吸着素子（81）についての吸着動作及び冷却動作と第２吸着素子（82）についての再生動作とが行われ、第２動作中は第１吸着素子（81）についての再生動作と第２吸着素子（82）についての吸着動作及び冷却動作とが行われる。その際、各吸着素子（81,82）の調湿側通路（85）で発生する吸着熱は、冷却側通路（86）を流れる第２空気に回収される。このため、吸着素子（81,82）が第２空気によって冷却され、吸着素子（81,82）の温度上昇が抑えられる。
【０２２７】
《外気冷房運転》
外気冷房運転時には、ケーシング（10）内に取り込まれた室外空気（OA）が何れの吸着素子（81,82）も通過することなく室内へ供給される一方、ケーシング（10）内に取り込まれた室内空気（RA）が何れの吸着素子（81,82）も通過することなく室外へ排出される。また、冷媒回路の圧縮機（91）は停止しており、冷凍サイクルは行われない。
【０２２８】
この外気冷房運転について、図１６を参照しながら説明する。尚、図１６では、切換シャッタ（160）のシャッタ板（162）が再生熱交換器（92）の左半分を覆う状態となっているが、外気冷房運転時において切換シャッタ（160）の状態は不問である。
【０２２９】
第１仕切部材（100）では、第１右上開口（111）と第１右上下開口（113）と第１左下開口（115）とが連通状態となり、残りの開口（112,114,116）が遮断状態となっている。この状態では、第１右上開口（111）によって第２中央上部流路（175）と第２右上部流路（173）が連通され、第１右上下開口（113）によって第２右上部流路（173）と第２右下部流路（174）が連通され、第１左下開口（115）によって第２左下部流路（178）と第２中央下部流路（176）が連通される。
【０２３０】
第２仕切部材（120）では、第２右下開口（122）と第２左下開口（126）とが連通状態となり、残りの開口（121,123,124,125）が遮断状態となっている。この状態では、第２右下開口（122）によって第２右下部流路（174）と第３右下部流路（182）が連通され、第２左下開口（126）によって第２左下部流路（178）と第３左下部流路（187）が連通される。
【０２３１】
第３仕切部材（130）では、第３右下開口（132）と第３左下開口（136）とが連通状態となり、残りの開口（131,133,134,135）が遮断状態となっている。この状態では、第３右下開口（132）によって第３右下部流路（182）と第４右下部流路（194）が連通され、第３左下開口（136）によって第３左下部流路（187）と第４左下部流路（198）が連通される。
【０２３２】
第４仕切部材（140）では、第４右下開口（152）と第４左上開口（154）と第４左上下開口（156）とが連通状態となり、残りの開口（151,153,155）が遮断状態となっている。この状態では、第４右下開口（152）によって第４中央下部流路（196）と第４右下部流路（194）が連通され、第４左上開口（154）によって第４中央上部流路（195）と第４左上部流路（197）が連通され、第４左上下開口（156）によって第４左下部流路（198）と第４左上部流路（197）が連通される。
【０２３３】
給気ファン（95）を駆動すると、室外空気（OA）が給気側入口（13）を通じてケーシング（10）内に取り込まれる。その後、室外空気（OA）は、第１下部流路（172）、第２中央下部流路（176）、第２左下部流路（178）、第３左下部流路（187）、第４左下部流路（198）、第４左上部流路（197）、第４中央上部流路（195）、第５上部流路（191）を順に流れ、給気側出口（14）を通って室内へ供給される。
【０２３４】
一方、排気ファン（96）を駆動すると、室内空気（RA）が排気側入口（15）を通じてケーシング（10）内に取り込まれる。その後、室内空気（RA）は、第５下部流路（192）、第４中央下部流路（196）、第４右下部流路（194）、第３右下部流路（182）、第２右下部流路（174）、第２右上部流路（173）、第２中央上部流路（175）、第１上部流路（171）を順に流れ、排気側出口（16）を通って室外へ排出される。
【０２３５】
−実施形態２の効果−
この実施形態２においても、第１空気を減湿する際に第１，第２吸着素子（81,82）の調湿側通路（85）において発生する吸着熱を、第２空気である室内空気（RA）と室外空気（OA）の混合空気（RA＋OA）で回収し、吸着素子（81,82）を冷却するようにしている。したがって、除湿運転時に室外の温度が高い場合であっても、室外空気（OA）よりも低温の空気（RA＋OA）を利用することができるため、吸着素子（81,82）の温度上昇を抑えることができる。このため、従来の装置と比較して吸着性能の低下を抑えることが可能となり、吸着素子（81,82）に吸着できる水分の量を充分に確保することができる。また、加湿運転時には、極寒時にＣＯＰが低下するのを防止できる。
【０２３６】
−実施形態２の変形例−
上記実施形態２についても、実施形態１と同様に、冷却空気には室内空気（RA）や調和空気（CA）などを用いてもよい。また、上記混合空気（RA＋OA）を用いる場合には、室外空気（OA）と室内空気（RA）の混合割合は上記実施形態１と同様にして調整することができる。
【０２３７】
【発明の実施の形態３】
本発明の実施形態３に係る空気調和装置は、１つの吸着素子（250）を備えている。そして、この空気調和装置は、吸着動作及び冷却動作と再生動作とを行い、吸着素子（250）による空気の減湿と、吸着素子（250）の吸着剤の再生とを同時に並行して行うように構成されている。
【０２３８】
図１７に示すように、本実施形態の吸着素子（250）は、ドーナツ状、あるいは厚肉の円筒状に形成されている。この吸着素子（250）には、その周方向において、調湿側通路（85）と冷却側通路（86）とが交互に区画形成されている。調湿側通路（85）は、吸着素子（250）をその軸方向に貫通している。つまり、調湿側通路（85）は、吸着素子（250）の前面及び背面に開口している。また、調湿側通路（85）の内壁には、吸着剤が塗布されている。一方、冷却側通路（86）は、吸着素子（250）をその半径方向に貫通している。つまり、冷却側通路（86）は、吸着素子（250）の外周面及び内周面に開口している。
【０２３９】
図１８に示すように、上記空気調和装置では、吸着素子（250）が吸着ゾーン（251）と再生ゾーン（252）とに跨って設置されている。この吸着素子（250）は、その中心を通る軸周りで連続的又は断続的に回転駆動されている。
【０２４０】
また、上記空気調和装置は、冷媒回路を備えている。この冷媒回路は、圧縮機（91）、凝縮器である再生熱交換器（92）、膨張機構である膨張弁、及び蒸発器である冷却熱交換器（93）を配管接続して形成された閉回路である。このうち、再生熱交換器（92）は、加熱器を構成している。冷媒回路は、充填された冷媒を循環させて、蒸気圧縮式の冷凍サイクルを行うように構成されている。尚、図１８においては、再生熱交換器（92）及び冷却熱交換器（93）だけを図示する。
【０２４１】
上記空気調和装置において、吸着ゾーン（251）に位置する吸着素子（250）の部分では、当該部分の調湿側通路（85）へ吸着空気を構成する第１空気として室外空気（OA）が導入され、当該部分の冷却側通路（86）へ冷却空気を構成する第２空気として室内空気（RA）が導入される。その際、第２空気は、吸着素子（250）の内周面側から冷却側通路（86）へ送り込まれる。
【０２４２】
吸着ゾーン（251）において、吸着素子（250）の調湿側通路（85）では、第１空気（吸着空気）に含まれる水蒸気が吸着剤に吸着される。調湿側通路（85）で水蒸気が吸着剤に吸着される際には、吸着熱が生じる。この吸着熱は、吸着素子（250）の冷却側通路（86）を流れる第２空気（冷却空気）に吸熱される。
【０２４３】
吸着ゾーン（251）で水分を奪われて減湿された第１空気は、冷却熱交換器（93）を通過する。冷却熱交換器（93）において、第１空気は、冷媒との熱交換を行い、冷媒に対して放熱する。そして、除湿運転中であれば、減湿されて冷却された第１空気を室内へ供給する。また、加湿運転中であれば、水分を奪われて放熱した第１空気を室外へ排気する。
【０２４４】
一方、吸着ゾーン（251）で吸着熱を奪った第２空気は、再生空気として再生熱交換器（92）を通過する。再生熱交換器（92）において、第２空気は、冷媒との熱交換を行い、冷媒の凝縮熱を吸熱する。吸着ゾーン（251）及び再生熱交換器（92）で加熱された第２空気は、再生ゾーン（252）に位置する吸着素子（250）の調湿側通路（85）へ導入される。この再生ゾーン（252）へは、吸着素子（250）の回転移動に伴って、吸着ゾーン（251）に位置していた吸着素子（250）の部分が移動してくる。
【０２４５】
再生ゾーン（252）に位置する吸着素子（250）の部分において、当該部分の調湿側通路（85）では、第２空気によって吸着剤が加熱され、吸着剤から水蒸気が脱離する。つまり、吸着剤の再生が行われる。吸着剤から脱離した水蒸気は、第２空気に付与される。そして、除湿運転中であれば、吸着剤から脱離した水蒸気と共に第２空気を室外へ排気する。また、加湿運転中であれば、加熱されて加湿された第２空気を室内へ供給する。
【０２４６】
上述のように、吸着ゾーン（251）では吸着素子（250）についての吸着動作が行われ、再生ゾーン（252）では吸着素子（250）についての再生動作が行われる。その際、吸着素子（250）の調湿側通路（85）で発生する吸着熱は、冷却側通路（86）を流れる第２空気に回収される。このため、吸着素子（250）が第２空気によって冷却され、吸着素子（250）の温度上昇が抑えられる。
【０２４７】
本実施形態では、第１空気を減湿する際に第１，第２吸着素子（81,82）の調湿側通路（85）において発生する吸着熱を、第２空気である室内空気（RA）で回収し、吸着素子（81,82）を冷却するようにしている。したがって、室外の温度が高い場合であっても、室外空気（OA）よりも低温の室内空気（RA）を利用できるため、吸着素子（250）の温度上昇を抑えることができる。また、従来の装置と比較して吸着性能の低下を抑えることが可能となり、吸着素子（81,82）に吸着できる水分の量を充分に確保することができる。
【０２４８】
尚、この実施形態においても、冷却空気を構成する第２空気として、調和空気（CA）を用いたり、室内空気（RA）と室外空気（OA）の混合空気（RA＋OA）を用いてもよい。
【０２４９】
【発明のその他の実施の形態】
本発明は、上記各実施形態に限らず、その他種々の態様で実施することが可能である。
【０２５０】
例えば、吸着素子の形状は、実施形態１，２で説明した直方体状の形状や、実施形態３で説明した円形状などに限らず、六角柱状などの他の形状としてもよい。
【０２５１】
また、上記各実施形態において、室内への給気量と室外への排気量は、同量にしてもよいし、必ずしも同量にしなくてもよい。
【０２５２】
例えば、図１９（ａ）は、第１空気である室外空気（OA）と第２空気である混合空気（RA＋OA）の風量割合を同じにし、給気（SA）と排気（EA）の割合も同じにしたシステムの例を示している。つまり、第１空気である室外空気（OA）の風量を１００とすると、混合空気（RA＋OA）、給気（SA）、及び排気（EA）の風量も１００としたものである。この場合、混合空気（RA＋OA）に室外空気（OA）を含ませないと、同量の室外空気（OA）と室内空気（RA）が入れ替わるシステムが構成され、混合空気（RA＋OA）に室外空気（OA）を含ませると、給気過多のシステムが構成される。
【０２５３】
また、図１９（ｂ）は、第１空気である室外空気（OA）を１００とすると、混合空気（RA＋OA）を１００＋α、給気（SA）を１００、排気（EA）を１００＋αとした例である。この場合、同量の室外空気（OA）と室内空気（RA）が入れ替わることになる。
【０２５４】
また、図１９（ｃ）は、第１空気である室外空気（OA）を１００とすると、混合空気（RA＋OA）を５０＋α、給気（SA）を１００、排気（EA）を５０＋αとした例である。この場合、給気過多のシステムとなる。
【０２５５】
また、図１９（ｂ）及び図１９（ｃ）のシステム構成を変更し、図１９（ｄ）及び図１９（ｅ）に示すように、第２空気の一部を排出するようにしてもよい。このようにすることにより、再生の風量を調整することができる。
【０２５６】
尚、図１９に示した各例は、除湿運転についての風量調整を示したものであるが、加湿運転についても風量を調整することは可能である。
【図面の簡単な説明】
【図１】  実施形態１に係る空気調和装置の構成を示す概略斜視図である。
【図２】  実施形態１に係る空気調和装置の回転ダンパを示す概略斜視図である。
【図３】  実施形態１に係る空気調和装置の吸着素子を示す概略斜視図である。
【図４】  実施形態１に係る空気調和装置の要部を示す模式図である。
【図５】  実施形態１に係る空気調和装置の除湿運転中の第１動作を示す分解斜視図である。
【図６】  実施形態１に係る空気調和装置の除湿運転中の第２動作を示す分解斜視図である。
【図７】  実施形態１に係る空気調和装置の加湿運転中の第１動作を示す分解斜視図である。
【図８】  実施形態１に係る空気調和装置の加湿運転中の第２動作を示す分解斜視図である。
【図９】  吸着素子における作用を示す斜視図である。
【図１０】  実施形態２に係る空気調和装置の構成を示す概略斜視図である。
【図１１】  実施形態２に係る空気調和装置の要部を示す模式図である。
【図１２】  実施形態２に係る空気調和装置の除湿運転中の第１動作を示す分解斜視図である。
【図１３】  実施形態２に係る空気調和装置の除湿運転中の第２動作を示す分解斜視図である。
【図１４】  実施形態２に係る空気調和装置の加湿運転中の第１動作を示す分解斜視図である。
【図１５】  実施形態２に係る空気調和装置の加湿運転中の第２動作を示す分解斜視図である。
【図１６】  実施形態２に係る空気調和装置の外気冷房運転中の動作を示す分解斜視図である。
【図１７】  実施形態３に係る空気調和装置の吸着素子を示す概略斜視図である。
【図１８】  実施形態３に係る空気調和装置の構成を示す概略構成図である。
【図１９】  空気調和装置における風量調整の変更例を示す図である。
【符号の説明】
（81）  第１吸着素子
（82）  第２吸着素子
（85）  調湿側通路
（86）  冷却側通路
（250） 吸着素子
【図１】
0003680149.tif 000002
【図２】
0003680149.tif 000003
【図３】
0003680149.tif 000004
【図４】
0003680149.tif 000005
【図５】
0003680149.tif 000006
【図６】
0003680149.tif 000007
【図７】
0003680149.tif 000008
【図８】
0003680149.tif 000009
【図９】
0003680149.tif 000010
【図１０】
0003680149.tif 000011
【図１１】
0003680149.tif 000012
【図１２】
0003680149.tif 000013
【図１３】
0003680149.tif 000014
【図１４】
0003680149.tif 000015
【図１５】
0003680149.tif 000016
【図１６】
0003680149.tif 000017
【図１７】
0003680149.tif 000018
【図１８】
0003680149.tif 000019
【図１９】
0003680149.tif 000020